(57)【要約】アセンブリの光学マウントによって覆い隠される光学部の表面積の量を最小限にしながら、安定した締め付け構成で１つまたはそれを上回る光学部の搭載を可能にする、低干渉光学マウントアセンブリ。そのようなアセンブリのクランプ実施形態は、弾性板ばねまたは剛性クランプ板を含み得る。いくつかの場合には、マウントアセンブリは、複数の光学マウントを支持する支持フレームを回転させることによって、複数の光学部の選択を可能にする、車輪配列で構成され得る。
2017520019.tif 000002
【特許請求の範囲】
【請求項１】
複数の光学部を搭載するための低干渉光学マウントアセンブリであって、
基礎部材と、
前記基礎部材に回転可能に連結され、支持フレームの回転軸の周囲で回転するように構成される、剛性回転支持フレームと、
前記回転軸から共通半径において前記支持フレームの周囲に、かつそれと固定関係で円周方向に配置される、複数の低干渉光学マウントと、
を備え、各低干渉光学マウントは、
光学マウント本体と、
前記光学マウント本体の外側半径方向縁に沿って配置され、前記回転軸と垂直な平面内に位置し、光学部の部分外縁に接触し、光学部の周辺の大部分を接触がない状態にするように構成される、基準面と、
前記基準面の平面から延在し、前記基準面と固定関係で配置され、前記基準面の内側半径方向境界線を境界し、搭載される光学部の外縁が接触する表面を提供する、光学停止構造と、
前記基準面と反対に配置され、前記基準面と略垂直な方向に前記基準面に対して移動可能であり、少なくとも１つの接点と前記基準面との間で光学部を解放可能かつ制御可能に締め付けるように構成される、前記少なくとも１つの接点を伴うクランプと、
を備える、低干渉光学マウントアセンブリ。
【請求項２】
各クランプは、
前記光学マウント本体に対して固定関係で固着される内側半径方向部分と、前記基準面と反対に配置される前記少なくとも１つの接点を備え、前記基準面に対して弾性的に移動可能である、外側半径方向部分とを有する、弾性板ばねと、
前記板ばね内の隙間孔を通過するねじ山付きシャフトを有し、締め付けねじをきつく締めることにより、前記板ばねの弾性ばね抵抗を克服し、前記板ばねの前記外側半径方向部分を前記基準面のより近くに押進させ、前記少なくとも１つの接点と前記基準面との間で光学部を解放可能に締め付けるように、前記光学マウント本体内の噛合ねじ孔と螺合可能に係合させられる、締め付けねじと、
を備える、請求項１に記載の低干渉光学マウントアセンブリ。
【請求項３】
前記複数の光学マウントの前記弾性板ばねは、全てモノリシック板ばね部材に含まれ、前記モノリシック板ばね部材は、前記モノリシック板ばね部材の中心孔から延在する各弾性板ばねの前記内側半径方向部分を伴って一片の薄い弾性材料から形成され、隣接する板ばねは、前記モノリシック板ばね部材の各弾性板ばねの実質的に独立した圧縮を可能にするよう、前記ハブから前記モノリシック板ばね部材の外側半径方向縁まで延在する、半径方向に配向したスロットによって分離される、請求項２に記載の低干渉光学マウントアセンブリ。
【請求項４】
前記モノリシックの半径方向スロット付き板ばね部材の全ての前記板ばねは、同一のサイズであり、それぞれの締め付けねじによる圧縮に対して同一の弾性抵抗を有する、請求項３に記載の低干渉光学マウントアセンブリ。
【請求項５】
各弾性板ばねの前記内側半径方向部分は、それぞれの他の弾性板ばねの前記締め付けねじによって及ぼされる圧縮力によって、前記光学マウント本体と固定関係で固着される、請求項３に記載の低干渉光学マウントアセンブリ。
【請求項６】
前記少なくとも１つの接点と前記基準面との間の分離は、前記締め付けねじが緩く、前記弾性板ばねが弛緩した非圧縮状態にあるときに、搭載される光学部の幅より大きい、請求項２に記載の低干渉光学マウントアセンブリ。
【請求項７】
前記弾性板ばねは、ばね鋼を含む、請求項２に記載の低干渉光学マウントアセンブリ。
【請求項８】
前記光学マウント本体、弾性板ばね、および締め付けねじは、前記基準面と前記少なくとも１つの接点との間に約１ｍｍ〜約１０ｍｍの相対的分離を提供するように構成される、請求項２に記載の低干渉光学マウントアセンブリ。
【請求項９】
各弾性板ばねの前記外側半径方向部分は、前記弾性板ばねが弛緩した非圧縮状態にあるときに、前記基準面の平面に対して約８度〜約１２度の事前設定角度を形成する、請求項２に記載の低干渉光学マウントアセンブリ。
【請求項１０】
各クランプは、
前記基準面と反対に配置される前記少なくとも１つの接点を備え、前記基準面と実質的に垂直な方向に前記基準面に対して移動可能である、外側半径方向部分を有する、クランプ板と、
前記光学マウント本体に対して実質的に軸方向に固定される一方で、前記光学マウント本体に対して回転し、締め付けねじの回転が、前記クランプ板と前記光学マウント本体との間で相対的変位を誘導するように、かつ前記締め付けねじをきつく締めることにより、前記クランプ板の前記外側半径方向部分を前記基準面により近く押進させ、前記少なくとも１つの接点と前記基準面との間で光学部を解放可能に締め付けるように、前記クランプ板のねじ孔と螺合可能に係合させられる、ねじ山付きシャフトを有する、締め付けねじと、
を備える、請求項１に記載の低干渉光学マウントアセンブリ。
【請求項１１】
前記クランプはさらに、前記光学マウント本体と固定関係で固着され、前記クランプ板内の密接嵌合孔を通って延在し、前記締め付けねじの長手軸と平行な前記クランプ板の移動を可能にするが、全ての他の変位軸における前記クランプ板の移動を制約する、少なくとも１つのガイドピンを備える、請求項１０に記載の低干渉光学マウントアセンブリ。
【請求項１２】
前記クランプは、前記締め付けねじの反対外側面に配置される２つのガイドピンを備える、請求項１１に記載の低干渉光学マウントアセンブリ。
【請求項１３】
前記光学マウント本体、クランプ板、および締め付けねじは、前記基準面と前記少なくとも１つの接点との間に約１ｍｍ〜約１０ｍｍの相対的分離を提供するように構成される、請求項１０に記載の低干渉光学マウントアセンブリ。
【請求項１４】
各クランプは、
前記光学マウント本体に対して枢動するが軸方向に固定された関係にある内側半径方向部分と、前記基準面と反対に配置される前記少なくとも１つの接点を備え、前記基準面に対して移動可能である、外側半径方向部分とを有する、クランプ板と、
前記光学マウント本体と前記クランプ板との間に動作可能に連結され、前記少なくとも１つの接点と前記基準面との間に光学部を解放可能に締め付けるように前記クランプ板の前記外側半径方向部分を前記基準面のより近くに引く、弾性付勢締め付け張力を、前記光学マウント本体と前記クランプ板との間に及ぼすように構成される、弾性張力部材と、
を備える、請求項１に記載の低干渉光学マウントアセンブリ。
【請求項１５】
前記少なくとも１つの接点と前記基準面との間の分離距離は、前記クランプ板が前記光学マウント本体からの分離の完全後退状態にあるときに、搭載される光学部の幅より大きい、請求項１４に記載の低干渉光学マウントアセンブリ。
【請求項１６】
前記光学マウント本体、クランプ板、および弾性張力部材は、前記基準面と前記少なくとも１つの接点との間に約１ｍｍ〜約１０ｍｍの相対的分離を提供するように構成される、請求項１４に記載の低干渉光学マウントアセンブリ。
【請求項１７】
前記弾性張力部材は、コイルばねを備える、請求項１４に記載の低干渉光学マウントアセンブリ。
【請求項１８】
各光学マウントの前記光学マウント本体およびそれぞれの基準面は、支持フレームに一体的に形成される、請求項１に記載の低干渉光学マウントアセンブリ。
【請求項１９】
各光学マウントの前記光学マウント本体およびそれぞれの基準面は、一片の材料から形成されるモノリシック構造で前記支持フレームに一体的に形成される、請求項１８に記載の低干渉光学マウントアセンブリ。
【請求項２０】
前記支持フレームの周囲で均等に離間される約２個の光学マウント〜前記支持フレームの周囲で均等に離間される約１０個の光学マウントを備える、請求項１に記載の低干渉光学マウントアセンブリ。
【請求項２１】
前記支持フレームの周囲で均等に離間される約４個の光学マウント〜前記支持フレームの周囲で均等に離間される約８個の光学マウントを備える、請求項２０に記載の低干渉光学マウントアセンブリ。
【請求項２２】
前記複数の光学マウントは、全体的にコンパクトなデバイスを提供するが、依然として、前記縁から前記光学部を握持しながら前記光学マウントアセンブリの全ての光学マウントからの光学部の手動搭載および除去を可能にする、角度円周方向分離を含む、請求項１に記載の低干渉光学マウントアセンブリ。
【請求項２３】
それぞれ、約１インチの外径を有する光学部を搭載するように構成され、約４５度の角度円周方向分離を有し、それぞれ、約２０ｍｍ〜約３０ｍｍの前記回転軸からの半径方向距離に配置される光学停止部を有する、８個の光学マウントを備える、請求項２２に記載の低干渉光学マウントアセンブリ。
【請求項２４】
前記少なくとも１つの接点は、搭載される光学部の材料より軟質である弾性ポリマー材料を含む、請求項１に記載の低干渉光学マウントアセンブリ。
【請求項２５】
前記接点は、ナイロンを含む、請求項２４に記載の低干渉光学マウントアセンブリ。
【請求項２６】
前記少なくとも１つの接点は、前記クランプの薄い弾性材料に突出をプレス加工し、前記接点を弾性ポリマー材料でコーティングすることによって形成される、請求項１に記載の低干渉光学マウントアセンブリ。
【請求項２７】
前記少なくとも１つの接点の前記コーティングは、約０．０００５インチ〜約０．００１インチの厚さを有する、請求項２６に記載の低干渉光学マウントアセンブリ。
【請求項２８】
前記クランプは、２つの接点を備える、請求項１に記載の低干渉光学マウントアセンブリ。
【請求項２９】
前記クランプは、３つの接点を備える、請求項１に記載の低干渉光学マウントアセンブリ。
【請求項３０】
前記支持フレームは、前記基礎部材の孔内で前記回転軸の周囲で回転するように構成されるハブに堅く固着される、剛性支持板を備える、請求項１に記載の低干渉光学マウントアセンブリ。
【請求項３１】
各光学マウントの前記クランプは、ツールを必要とすることなく、手動で作動させられるように構成される、請求項１に記載の低干渉光学マウントアセンブリ。
【請求項３２】
前記光学停止構造は、前記基準面の平面の上方に延在する隆起を備え、前記隆起は、前記回転軸から略半径方向外向きに対面する表面を形成する、請求項１に記載の低干渉光学マウントアセンブリ。
【請求項３３】
前記隆起の表面輪郭は、円形である、請求項３２に記載の低干渉光学マウントアセンブリ。
【請求項３４】
前記隆起の前記円形輪郭の半径は、約０．２５インチ〜約１インチである、請求項３３に記載の低干渉光学マウントアセンブリ。
【請求項３５】
前記基礎部材は、光学支柱マウントに便宜的に搭載されるように構成される、少なくとも１つの支柱マウントインターフェースを含む、請求項１に記載の低干渉光学マウントアセンブリ。
【請求項３６】
前記支柱マウントインターフェースは、前記回転軸と垂直である少なくとも１つのねじ孔を含む、請求項３５に記載の低干渉光学マウントアセンブリ。
【請求項３７】
前記基礎部材は、第１のねじ山構成の第１のねじ孔と、前記第１のねじ山構成と異なる第２のねじ山構成の第２のねじ孔とを備える、複数の支柱マウントインターフェースを備える、請求項３６に記載の低干渉光学マウントアセンブリ。
【請求項３８】
前記支持フレームと前記基礎との間のインターフェースは、複数の縁グリップマウントの円周方向間隔に合致するように構成されるインデキシングを有するインデックス化構成で、前記支持フレームが前記基礎に対してツールを使用することなく手動で回転させられることができるように構成される、請求項１に記載の低干渉光学マウントアセンブリ。
【請求項３９】
前記支持フレームと前記基礎部材との間の前記インターフェースは、前記複数の低干渉光学マウントの角度円周方向間隔に合致するように構成される角度円周方向戻り止め間隔を伴う、少なくとも１つのボール戻り止め装置を備える、請求項３８に記載の低干渉光学マウントアセンブリ。
【請求項４０】
前記基礎部材、支持フレーム、および各光学マウント本体は、軽量剛性材料を含む、請求項１に記載の低干渉光学マウントアセンブリ。
【請求項４１】
前記軽量剛性材料は、アルミニウムを含む、請求項４０に記載の低干渉光学マウントアセンブリ。
【請求項４２】
光学部の部分外縁に接触し、光学部の周辺の大部分を接触または前記基準面からの光学干渉がない状態にするように構成される、各基準面は、それぞれの各光学マウントの中に搭載される光学部の使用可能表面積の約１５パーセント未満である表面積を備える、請求項１に記載の低干渉光学マウントアセンブリ。
【請求項４３】
光学部の部分外縁に接触し、光学部の周辺の大部分を接触または前記基準面からの光学干渉がない状態にするように構成される、各基準面は、それぞれの各光学マウントの中に搭載される光学部の使用可能表面積の約１０パーセント未満である表面積を備える、請求項１に記載の低干渉光学マウントアセンブリ。
【請求項４４】
各基準面は、丸い光学部を受け入れるように構成され、各基準面の最大半径方向幅は、前記基準面によって受け入れられる前記丸い光学部の半径の約５パーセント〜約２０パーセントである、請求項１に記載の低干渉光学マウントアセンブリ。
【請求項４５】
前記基準面は、丸い光学部を受け入れるように構成され、前記基準面の最大角度円周方向長は、約２５度〜約６０度である、請求項１に記載の低干渉光学マウントアセンブリ。
【請求項４６】
それぞれの光学マウントの中に搭載される全ての光学部の外側半径方向縁を通過するようなサイズにされる横寸法を伴う開口を有し、前記光学マウントの中に搭載される光学部の間に嵌合するようなサイズにされる１つまたはそれを上回る半径方向拡張部材によって、前記支持フレームに固着される、薄い外側ガードリングをさらに備える、請求項１に記載の低干渉光学マウントアセンブリ。
【請求項４７】
光学マウント本体と、
前記光学マウント本体の外縁に沿って配置され、光学部の部分外面に接触し、光学部の周辺の大部分を接触がない状態にするように構成される、基準面と、
前記基準面の平面から延在し、前記基準面と固定関係で配置され、前記基準面の内側境界線を境界し、搭載される光学部の外縁が接触する表面を提供する、光学停止構造と、
前記基準面と反対に配置され、前記基準面と略垂直な方向に前記基準面に対して移動可能であり、その少なくとも１つの接点と前記基準面との間で光学部を解放可能かつ制御可能に締め付けるように構成される、クランプと、
を備え、前記クランプはさらに、
前記光学マウント本体に対して固定関係で固着される内側半径方向部分と、前記基準面と反対に配置される前記少なくとも１つの接点を備え、前記基準面に対して弾性的に移動可能である、外側半径方向部分とを有する、弾性板ばねと、
前記弾性板ばね内の隙間孔を通過するねじ山付きシャフトを有し、締め付けねじをきつく締めることにより、前記板ばねの弾性ばね抵抗を克服し、前記板ばねの前記外側半径方向部分を前記基準面のより近くに押進させ、前記少なくとも１つの接点と前記基準面との間で光学部を解放可能に締め付けるように、前記光学マウント本体内の噛合ねじ孔と螺合可能に係合させられる、締め付けねじと、
を備える、低干渉光学マウント。
【請求項４８】
前記光学マウント本体はさらに、支柱マウントインターフェースを備える、請求項４７に記載の低干渉光学マウント。
【請求項４９】
前記支柱マウントインターフェースは、ねじ孔を備える、請求項４７に記載の低干渉光学マウント。
【請求項５０】
前記弾性板ばねの前記外側半径方向部分は、前記弾性板ばねが弛緩した非圧縮状態にあるときに、前記基準面の平面に対して約８度〜約１２度の事前設定角度を形成する、請求項４７に記載の低干渉光学マウント。
【請求項５１】
前記少なくとも１つの接点は、搭載される光学部の材料より軟質である弾性ポリマー材料を含む、請求項４７に記載の低干渉光学マウント。
【請求項５２】
前記接点は、ナイロンを含む、請求項５１に記載の低干渉光学マウント。
【請求項５３】
前記少なくとも１つの接点は、前記クランプの薄い弾性材料に突出をプレス加工し、前記接点を弾性ポリマー材料でコーティングすることによって形成される、請求項４７に記載の低干渉光学マウント。
【請求項５４】
前記クランプは、２つの接点を備える、請求項４７に記載の低干渉光学マウント。
【請求項５５】
前記クランプは、３つの接点を備える、請求項４７に記載の低干渉光学マウント。
【請求項５６】
前記クランプは、ツールを必要とすることなく、手動で作動させられるように構成される、請求項４７に記載の低干渉光学マウント。
【請求項５７】
前記光学停止構造は、前記基準面の平面の上方に延在する隆起を備える、請求項４７に記載の低干渉光学マウント。
【請求項５８】
前記隆起の表面輪郭は、円弧構成を有する、請求項５７に記載の低干渉光学マウント。
【請求項５９】
前記隆起の前記円形輪郭の半径は、約０．２５インチ〜約１インチである、請求項５８に記載の低干渉光学マウント。
【請求項６０】
前記光学マウント本体は、軽量剛性材料を含む、請求項４７に記載の低干渉光学マウント。
【請求項６１】
前記軽量剛性材料は、アルミニウムを含む、請求項６０に記載の低干渉光学マウント。
【請求項６２】
光学部の部分外縁に接触し、光学部の周辺の大部分を前記基準面との接触またはそれからの光学干渉がない状態にするように構成される、前記基準面は、それぞれの各光学マウントの中に搭載される光学部の使用可能表面積の約１５パーセント未満である表面積を備える、請求項４７に記載の低干渉光学マウント。
【請求項６３】
光学部の部分外縁に接触し、光学部の周辺の大部分を前記基準面との接触またはそれからの光学干渉がない状態にするように構成される、前記基準面は、搭載される光学部の使用可能表面積の約１０パーセント未満である表面積を備える、請求項４７に記載の低干渉光学マウント。
【請求項６４】
前記基準面は、丸い光学部を受け入れるように構成され、各基準面の最大半径方向幅は、前記基準面によって受け入れられる前記丸い光学部の半径の約５パーセント〜約２０パーセントである、請求項４７に記載の低干渉光学マウント。
【請求項６５】
前記基準面は、丸い光学部を受け入れるように構成され、前記基準面の最大角度円周方向長は、約２５度〜約６０度である、請求項４７に記載の低干渉光学マウント。
【請求項６６】
光学マウント本体と、
前記光学マウント本体の外縁に沿って配置され、光学部の部分外面に接触し、光学部の周辺の大部分を接触がない状態にするように構成される、基準面と、
前記基準面の平面から延在し、前記基準面と固定関係で配置され、前記基準面の内側境界線を境界し、搭載される光学部の外縁が接触する表面を提供する、光学停止構造と、
前記基準面と反対に配置され、前記基準面と略垂直な方向に前記基準面に対して移動可能であり、その少なくとも１つの接点と前記基準面との間で光学部を解放可能かつ制御可能に締め付けるように構成される、クランプと、
を備え、前記クランプはさらに、
前記基準面と反対に配置される前記少なくとも１つの接点を備え、前記基準面と実質的に垂直な方向に前記基準面に対して移動可能である、外側半径方向部分を有する、剛性クランプ板と、
前記光学マウント本体に対して実質的に軸方向に固定される一方で、前記光学マウント本体に対して回転し、締め付けねじの回転が、前記クランプ板と前記光学マウント本体との間で相対的変位を誘導するように、かつ前記締め付けねじをきつく締めることにより、前記クランプ板の前記外側半径方向部分を前記基準面により近く押進させ、前記少なくとも１つの接点と前記基準面との間で光学部を解放可能に締め付けるように、前記クランプ板のねじ孔と螺合可能に係合させられる、ねじ山付きシャフトを有する、締め付けねじと、
を備える、低干渉光学マウント。
【請求項６７】
前記光学マウント本体はさらに、支柱マウントインターフェースを備える、請求項６６に記載の低干渉光学マウント。
【請求項６８】
前記支柱マウントインターフェースは、ねじ孔を備える、請求項６６に記載の低干渉光学マウント。
【請求項６９】
前記少なくとも１つの接点は、搭載される光学部の材料より軟質である弾性ポリマー材料を含む、請求項６６に記載の低干渉光学マウント。
【請求項７０】
前記接点は、ナイロンを含む、請求項６９に記載の低干渉光学マウント。
【請求項７１】
前記クランプは、２つの接点を備える、請求項６６に記載の低干渉光学マウント。
【請求項７２】
前記クランプは、３つの接点を備える、請求項６６に記載の低干渉光学マウント。
【請求項７３】
前記クランプは、ツールを必要とすることなく、手動で作動させられるように構成される、請求項６６に記載の低干渉光学マウント。
【請求項７４】
前記光学停止構造は、前記基準面の平面の上方に延在する隆起を備える、請求項６６に記載の低干渉光学マウント。
【請求項７５】
前記隆起の表面輪郭は、円形である、請求項７４に記載の低干渉光学マウント。
【請求項７６】
前記隆起の前記円形輪郭の半径は、約０．２５インチ〜約１インチである、請求項７５に記載の低干渉光学マウント。
【請求項７７】
前記光学マウント本体は、軽量剛性材料を含む、請求項６６に記載の低干渉光学マウント。
【請求項７８】
前記軽量剛性材料は、アルミニウムを含む、請求項７７に記載の低干渉光学マウント。
【請求項７９】
光学部の部分外縁に接触し、光学部の周辺の大部分を前記基準面との接触またはそれからの光学干渉がない状態にするように構成される、前記基準面は、それぞれの各光学マウントの中に搭載される光学部の使用可能表面積の約１５パーセント未満である表面積を備える、請求項６６に記載の低干渉光学マウント。
【請求項８０】
光学部の部分外縁に接触し、光学部の周辺の大部分を前記基準面との接触またはそれからの光学干渉がない状態にするように構成される、前記基準面は、搭載される光学部の使用可能表面積の約１０パーセント未満である表面積を備える、請求項６６に記載の低干渉光学マウント。
【請求項８１】
前記基準面は、丸い光学部を受け入れるように構成され、各基準面の最大半径方向幅は、前記基準面によって受け入れられる前記丸い光学部の半径の約５パーセント〜約２０パーセントである、請求項６６に記載の低干渉光学マウント。
【請求項８２】
前記基準面は、丸い光学部を受け入れるように構成され、前記基準面の最大角度円周方向長は、約２５度〜約６０度である、請求項６６に記載の低干渉光学マウント。
【請求項８３】
光学マウント本体と、
前記光学マウント本体の外縁に沿って配置され、光学部の部分外面に接触し、光学部の周辺の大部分を接触がない状態にするように構成される、基準面と、
前記基準面の平面から延在し、前記基準面と固定関係で配置され、前記基準面の内側境界線を境界し、搭載される光学部の外縁が接触する表面を提供する、光学停止構造と、
前記基準面と反対に配置され、前記基準面と略垂直な方向に前記基準面に対して移動可能であり、その少なくとも１つの接点と前記基準面との間で光学部を解放可能かつ制御可能に締め付けるように構成される、クランプと、
を備え、前記クランプはさらに、
前記光学マウント本体に対して枢動するが軸方向に固定された関係にある内側半径方向部分と、前記基準面と反対に配置される前記少なくとも１つの接点を備え、前記基準面に対して移動可能である、外側半径方向部分とを有する、剛性クランプ板と、
前記光学マウント本体と前記クランプ板との間に動作可能に連結され、前記少なくとも１つの接点と前記基準面との間に光学部を解放可能に締め付けるように前記クランプ板の前記外側半径方向部分を前記基準面のより近くに引く、弾性付勢締め付け張力を、前記光学マウント本体と前記クランプ板との間に及ぼすように構成される、弾性張力部材と、
を備える、低干渉光学マウント。
【請求項８４】
前記光学マウント本体はさらに、支柱マウントインターフェースを備える、請求項８３に記載の低干渉光学マウント。
【請求項８５】
前記支柱マウントインターフェースは、ねじ孔を備える、請求項８３に記載の低干渉光学マウント。
【請求項８６】
前記少なくとも１つの接点は、搭載される光学部の材料より軟質である弾性ポリマー材料を含む、請求項８３に記載の低干渉光学マウント。
【請求項８７】
前記接点は、ナイロンを含む、請求項８６に記載の低干渉光学マウント。
【請求項８８】
前記クランプは、２つの接点を備える、請求項８３に記載の低干渉光学マウント。
【請求項８９】
前記クランプは、３つの接点を備える、請求項８３に記載の低干渉光学マウント。
【請求項９０】
前記クランプは、ツールを必要とすることなく、手動で作動させられるように構成される、請求項８３に記載の低干渉光学マウント。
【請求項９１】
前記光学停止構造は、前記基準面の平面の上方に延在する隆起を備える、請求項８３に記載の低干渉光学マウント。
【請求項９２】
前記隆起の表面輪郭は、円形である、請求項９１に記載の低干渉光学マウント。
【請求項９３】
前記隆起の前記円形輪郭の半径は、約０．２５インチ〜約１インチである、請求項９２に記載の低干渉光学マウント。
【請求項９４】
前記光学マウント本体は、軽量剛性材料を含む、請求項８３に記載の低干渉光学マウント。
【請求項９５】
前記軽量剛性材料は、アルミニウムを含む、請求項９４に記載の低干渉光学マウント。
【請求項９６】
光学部の部分外縁に接触し、光学部の周辺の大部分を前記基準面との接触またはそれからの光学干渉がない状態にするように構成される、前記基準面は、それぞれの光学マウントの中に搭載される光学部の使用可能表面積の約１５パーセント未満である表面積を備える、請求項８３に記載の低干渉光学マウント。
【請求項９７】
光学部の部分外縁に接触し、光学部の周辺の大部分を前記基準面との接触またはそれからの光学干渉がない状態にするように構成される、前記基準面は、搭載される光学部の使用可能表面積の約１０パーセント未満である表面積を備える、請求項８３に記載の低干渉光学マウント。
【請求項９８】
前記基準面は、丸い光学部を受け入れるように構成され、各基準面の最大半径方向幅は、前記基準面によって受け入れられる前記丸い光学部の半径の約５パーセント〜約２０パーセントである、請求項８３に記載の低干渉光学マウント。
【請求項９９】
前記基準面は、丸い光学部を受け入れるように構成され、前記基準面の最大角度円周方向長は、約２５度〜約６０度である、請求項８３に記載の低干渉光学マウント。
【請求項１００】
複数の光学部を搭載するための低干渉光学マウントアセンブリであって、
基礎部材と、
前記基礎部材に回転可能に連結され、支持板の回転軸の周囲で回転するように構成され、前記支持板の外側半径方向縁に沿って配置される基準面であって、前記回転軸と実質的に垂直な平面内に位置する、基準面を含む、剛性回転支持板と、
前記支持板に隣接して配置され、光学部を前記基準面に解放可能かつ制御可能に締め付けるように構成され、前記基準面と実質的に垂直な方向に前記基準面に対して移動可能であり、各光学レセプタクルが前記基準面と反対に配置される接触表面を含む、複数の光学レセプタクルを含む、クランプ板であって、各光学レセプタクルは、光学部の部分外縁に係合し、光学部の周辺の大部分を接触がない状態にするように構成され、各光学レセプタクルは、前記接触表面の平面から延在し、前記接触表面と固定関係で配置され、前記接触表面の内側半径方向境界線を境界し、搭載される光学部の外縁が接触する表面を提供する、光学停止構造を含む、クランプ板と、
前記クランプ板と前記支持板との間に動作可能に連結され、前記支持板の前記基準面に向かって前記クランプ板の前記接触表面を制御可能に圧縮するように構成される、クランプ機構と、
を備える、低干渉光学マウントアセンブリ。
【請求項１０１】
前記クランプ機構は、手動操作型止めねじを備える、請求項１００に記載の低干渉光学マウントアセンブリ。
【請求項１０２】
前記支持板に固定関係で固着され、前記支持板の面から延在し、前記クランプ板を前記支持板に円周方向に整合させ、それらの間で前記回転軸の周囲の相対的回転を防止するよう、前記クランプ板内の孔に摺動可能に連結される、ガイドピンをさらに備える、請求項１００に記載の低干渉光学マウントアセンブリ。
【請求項１０３】
前記光学レセプタクルは、前記クランプ板に一体的に形成される、請求項１００に記載の低干渉光学マウントアセンブリ。
【請求項１０４】
前記クランプ板の周囲で均等に離間される約２個の光学レセプタクル〜前記クランプ板の周囲で均等に離間される約１０個の光学レセプタクルを備える、請求項１００に記載の低干渉光学マウントアセンブリ。
【請求項１０５】
前記複数の光学レセプタクルは、それらの間に全体的にコンパクトなデバイスを提供するが、依然として、前記縁から前記光学部を手動で握持しながら全ての光学レセプタクルからの光学部の手動搭載および除去を可能にする、角度円周方向分離を含む、請求項１００に記載の低干渉光学マウントアセンブリ。
【請求項１０６】
前記支持板は、前記基礎部材の孔内で前記回転軸の周囲で回転するように構成されるハブに堅く固着される、請求項１００に記載の低干渉光学マウントアセンブリ。
【請求項１０７】
各光学停止構造は、前記接触表面の平面の上方に延在し、約８５度〜約９５度の内角を伴うＶ字形構成を有する、隆起を備える、請求項１００に記載の低干渉光学マウントアセンブリ。
【請求項１０８】
各光学停止構造は、前記接触表面の平面の上方に延在し、円弧構成を有する、隆起を備える、請求項１００に記載の低干渉光学マウントアセンブリ。
【請求項１０９】
前記基礎部材は、光学支柱マウントに便宜的に搭載されるように構成される、少なくとも１つの支柱マウントインターフェースを含む、請求項１００に記載の低干渉光学マウントアセンブリ。
【請求項１１０】
前記支柱マウントインターフェースは、前記回転軸と垂直である少なくとも１つのねじ孔を含む、請求項１０９に記載の低干渉光学マウントアセンブリ。
【請求項１１１】
前記支持板と前記基礎との間のインターフェースは、複数の縁グリップマウントの円周方向間隔に合致するように構成されるインデキシングを有するインデックス化構成で、前記支持フレームが前記基礎に対してツールを使用することなく手動で回転させられることができるように構成される、請求項１００に記載の低干渉光学マウントアセンブリ。
【請求項１１２】
前記支持板と前記基礎部材との間の前記インターフェースは、前記複数の光学レセプタクルの角度円周方向間隔に合致するように構成される角度円周方向戻り止め間隔を伴う、少なくとも１つのボール戻り止め装置を備える、請求項１１１に記載の低干渉光学マウントアセンブリ。
【請求項１１３】
前記基礎部材、支持フレーム、および各光学マウント本体は、軽量剛性材料を含む、請求項１００に記載の低干渉光学マウントアセンブリ。
【請求項１１４】
前記軽量剛性材料は、アルミニウムを含む、請求項１１３に記載の低干渉光学マウントアセンブリ。
【請求項１１５】
各光学レセプタクルの前記接触表面は、それぞれの各光学レセプタクルの中に搭載される光学部の使用可能表面積の約１５パーセント未満である表面積を備える、請求項１００に記載の低干渉光学マウントアセンブリ。
【請求項１１６】
各光学レセプタクルの前記接触表面は、それぞれの各光学レセブタクルの中に搭載される光学部の使用可能表面積の約１０パーセント未満である表面積を備える、請求項１００に記載の低干渉光学マウントアセンブリ。
【請求項１１７】
それぞれの光学マウントの中に搭載される全ての光学部の外側半径方向縁を通過するようなサイズにされる横寸法を伴う開口を有し、前記光学レセプタクルの中に搭載される光学部の間に嵌合するようなサイズにされる１つまたはそれを上回る半径方向拡張部材によって、前記支持板に固着される、薄い外側ガードリングをさらに備える、請求項１００に記載の低干渉光学マウントアセンブリ。
【発明の詳細な説明】
【背景技術】
【０００１】
（関連特許出願）
本出願は、Ｒｉｃｋ  Ｓｅｂａｓｔｉａｎらにより、そして「Ｌｏｗ  Ｉｎｔｅｒｆｅｒｅｎｃｅ  Ｏｐｔｉｃａｌ  Ｍｏｕｎｔ」と題し、２０１４年６月５日に出願された米国仮特許出願番号第６２／００８，０５９号から米国特許法第１１９条（ｅ）項の下の優先権を主張しており、この仮特許出願はまた、その全体が本明細書中に参考として援用される。
【０００２】
（背景）
光学マウントアセンブリは、レンズ、フィルタ、鏡、および同等物等の光学要素を光学ベンチ等の所与の光学装置に固着するために、使用されてもよい。光学要素は、順に、所与の光学装置に固着され得る、それぞれの光学マウントアセンブリに固着されてもよい。いくつかの光学マウントアセンブリは、同時に複数の光学要素に固着するように構成されてもよい。
【０００３】
光学要素の位置の調節は、同様に光学装置に固着され得る、レーザ、カメラ、検出器、および同等物に対する光学要素の位置の最適化を可能にし得る。例として、レーザは、光ビームとして構成される出力を有してもよく、光ビームは、光ビーム方向、光ビーム発散、および光ビームのスペクトル帯域幅を含み得る、性質を有する。光ビームは、ビームの種々の性質が改変され得るように、光学装置の光学要素と相互作用してもよい。例えば、光ビーム方向は、光ビームが、鏡として構成される光学要素と相互作用した後に変化させられてもよい。代替として、光ビームのスペクトル帯域幅は、ビームがフィルタとして構成される光学要素と相互作用した後に縮小されてもよい。それぞれの場合において、光ビームの性質（方向、スペクトル帯域幅）は、所与の光学要素の少なくとも１つの活性表面（殆どの光学要素は、２つの活性表面を有する）とのビームの相互作用によって変化させられ、光学要素の活性表面は、それに応じてビーム性質を変化させるように構成されている。
【０００４】
いくつかの現在の光学マウントの１つの制限は、光学マウントの中へ光学要素を装填することの困難性である。いくつかの現在の光学マウントは、光学要素が挿入されることができる、少なくとも１つのねじ山付き環状レセプタクルを含んでもよい。次いで、ねじ山付き係止リングが、ねじ山付き環状レセプタクルに取り付けられてもよく、それによって、ねじ山付き係止リングとねじ山付き環状レセプタクルとの間に光学要素を固着する。ねじ山付き環状レセプタクルおよびねじ山付き環状リングは両方とも、光学要素の各活性表面の一部を露出する、円形アクセス窓を含んでもよい。円形アクセス窓は、ねじ山付き環状レセプタクルとねじ山付き環状リングとの間に光学要素を閉じ込めるように作用するが、現在の光学マウントの別の制限として、円形アクセス窓は、光学要素の円周全体の周囲で活性表面積の有意な部分（いくつかの場合には、最大２５％またはそれを上回る）を覆い隠す。活性表面積の本遮蔽は、光ビームが、光学要素の活性表面と垂直ではない角度で光学要素に衝突する場合に、悪化させられ得る。そのような場合において、光学マウントの材料は、光ビームに干渉し得る。したがって、光学マウントのアクセス窓は、最大５０％またはそれを上回る倍数だけ斜めの光ビームによって衝打される光学要素の活性表面を効果的に縮小し得る。必要とされているものは、光学要素の最小活性表面積が覆い隠されるように、光学要素に固着するように構成される光学マウントアセンブリである。加えて、光学要素を光学マウントに取り付けるプロセスが簡略化されるべきである。
【発明の概要】
【課題を解決するための手段】
【０００５】
（要旨）
複数の光学部を搭載するための低干渉光学マウントアセンブリのいくつかの実施形態は、基礎部材と、基礎部材に回転可能に連結される剛性回転支持フレームとを含んでもよい。剛性回転支持フレームは、回転支持フレーム上で中心に位置する回転軸の周囲で回転してもよい。低干渉光学マウントアセンブリは、回転支持フレームの周囲に、かつそれと固定関係で円周方向に配置される、複数の低干渉光学マウントを含んでもよい。各光学マウントは、回転支持フレームの回転軸から共通半径において配置されてもよい。各光学マウントは、順に、光学マウント本体の外側半径方向縁に沿って配置される基準面を含み得る、光学マウント本体を含んでもよい。基準面は、回転支持フレームの回転軸と垂直である平面内に位置してもよい。基準面はまた、光学部の部分外縁に接触し、光学部の周辺の大部分を接触がない状態にするように構成されてもよい。各光学マウントはまた、基準面の平面から延在する、光学停止構造を含んでもよい。光学停止構造はさらに、基準面と固定関係で配置されてもよく、また、基準面の内側半径方向境界線を境界してもよい。光学停止構造はまた、光学マウントに搭載される光学部の外縁が接触する表面を提供してもよい。光学マウントはまた、基準面と反対に配置される少なくとも１つの接点を伴うクランプを含んでもよい。クランプの各接点は、基準面と略垂直である方向に基準面に対して移動可能であり得る。加えて、各接点は、接点と基準面との間で光学部を解放可能かつ制御可能に締め付けるように構成されてもよい。
【０００６】
低干渉光学マウントのいくつかの実施形態は、光学マウント本体の外縁に沿って配置される基準面を有し得る、光学マウント本体を含んでもよい。基準面は、光学部の部分外面に接触し、光学部の周辺の大部分を接触がない状態にするように構成されてもよい。低干渉光学マウントはまた、基準面の平面から延在し、基準面と固定関係で配置される、光学停止構造を含んでもよい。光学停止構造はまた、基準面の内側境界線を境界し、搭載される光学部の外縁が接触する表面を提供してもよい。低干渉光学マウントはまた、基準面と反対であるように配置される、クランプを含んでもよい。クランプは、基準面と略垂直である方向に基準面に対して移動可能であり得、クランプは、クランプの少なくとも１つの接点と基準面との間で光学部を解放可能かつ制御可能に締め付けるように構成されてもよい。クランプは、光学マウント本体に対して固定関係で固着される内側半径方向部分を有し得る、弾性板ばねを含んでもよい。クランプはまた、基準面と反対に配置される少なくとも１つの接点を備え、基準面に対して弾性的に移動可能である、外側半径方向部分を有してもよい。クランプはまた、弾性板ばね内の隙間孔を通過するねじ山付きシャフトを有し、光学マウント本体内の噛合ねじ孔と螺合可能に係合させられる、締め付けねじを含んでもよい。締め付けねじをきつく締めることにより、板ばねの弾性ばね抵抗を克服し、板ばねの外側半径方向部分を基準面のより近くに押進させ、クランプの少なくとも１つの接点と基準面との間で光学部を解放可能に締め付ける。
【０００７】
低干渉光学マウントのいくつかの実施形態は、光学マウント本体の外縁に沿って配置される基準面を組み込む、光学マウント本体を含んでもよい。基準面は、光学部の部分外面に接触し、光学部の周辺の大部分を接触がない状態にするように構成されてもよい。低干渉光学マウントはまた、基準面の平面から延在し、基準面と固定関係で配置される、光学停止構造を含んでもよい。光学停止構造は、基準面の内側境界線を境界してもよく、搭載される光学部の外縁が接触し得る表面を提供してもよい。低干渉光学マウントはまた、基準面と反対に配置され、基準面と略垂直である方向に基準面に対して移動可能である、クランプを含んでもよい。クランプは、クランプの少なくとも１つの接点と基準面との間で光学部を解放可能かつ制御可能に締め付けるように構成されてもよい。クランプは、基準面と反対に配置される少なくとも１つの接点を備える、外側半径方向部分を有する、剛性クランプ板を含んでもよい。クランプ板は、基準面と実質的に垂直である方向に基準面に対して移動可能であり得る。クランプはまた、光学マウント本体に対して実質的に軸方向に固定される一方で、光学マウント本体に対して回転する、締め付けねじを含んでもよい。締め付けねじは、締め付けねじの回転が、クランプ板と光学マウント本体との間で相対的変位を誘導するように、クランプ板のねじ孔と螺合可能に係合させられる、ねじ山付きシャフトを有してもよい。締め付けねじをきつく締めることには、少なくとも１つの接点と基準面との間で光学部を解放可能に締め付けるために、クランプ板の外側半径方向部分を基準面により近く押進させてもよい。
【０００８】
低干渉光学マウントのいくつかの実施形態は、光学マウント本体の外縁に沿って配置される基準面を有する、光学マウント本体を含んでもよい。基準面は、光学部の部分外面に接触し、光学部の周辺の大部分を接触がない状態にするように構成されてもよい。低干渉光学マウントはまた、基準面の平面から延在し、基準面と固定関係で配置される、光学停止構造を含んでもよい。光学停止構造は、基準面の内側境界線を境界してもよく、搭載される光学部の外縁が接触し得る表面を提供してもよい。低干渉光学マウントはまた、基準面と反対に配置され、基準面と略垂直である方向に基準面に対して移動可能である、クランプを含んでもよい。クランプは、クランプの少なくとも１つの接点と基準面との間で光学部を解放可能かつ制御可能に締め付けるように構成されてもよい。クランプはまた、光学マウント本体に対して枢動するが軸方向に固定された関係で配置される内側半径方向部分を有する、剛性クランプ板を含んでもよい。剛性クランプ板は、基準面と反対に配置される少なくとも１つの接点を備え、基準面に対して移動可能である、外側半径方向部分を有してもよい。クランプはまた、光学マウント本体とクランプ板との間に動作可能に連結される、弾性張力部材を含んでもよい。弾性張力部材は、クランプの少なくとも１つの接点と基準面との間に光学部を解放可能に締め付けるために、クランプ板の外側半径方向部分を基準面のより近くに引く、弾性付勢締め付け張力を、光学マウント本体とクランプ板との間に及ぼすように構成されてもよい。
【０００９】
複数の光学部を搭載するための低干渉光学マウントアセンブリのいくつかの実施形態は、基礎部材を含んでもよい。低干渉光学マウントアセンブリはまた、基礎部材に回転可能に連結され、回転支持板の回転軸の周囲で回転するように構成される、剛性回転支持板を含んでもよい。回転支持板は、支持板の外側半径方向縁に沿って配置される基準面を含んでもよく、基準面は、回転軸と実質的に垂直な平面内に位置する。低干渉光学マウントはまた、支持板に隣接するように配置され、光学部を基準面に解放可能かつ制御可能に締め付けるように構成される、クランプ板を含んでもよい。クランプ板は、基準面と略垂直である方向に基準面に対して移動可能であり得る。クランプ板は、各光学レセプタクルが基準面と反対に配置される接触表面を含む、複数の光学レセプタクルを含んでもよい。各光学レセプタクルは、光学部の部分外縁に係合し、光学部の周辺の大部分を接触がない状態にするように構成されてもよい。各光学レセプタクルは、接触表面の平面から延在し、接触表面と固定関係で配置される、光学停止構造を含んでもよい。光学停止構造は、接触表面の内側半径方向境界線を境界してもよく、搭載される光学部の外縁が接触し得る表面を提供してもよい。低干渉光学マウントはまた、クランプ板と支持板との間に動作可能に連結され、支持板の基準面に向かってクランプ板の接触表面を制御可能に圧縮するように構成される、クランプ機構を含んでもよい。
【００１０】
ある実施形態が、以下の説明、実施例、請求項、および図面でさらに説明される。これらの実施形態の特徴は、添付の例示的図面と併せて解釈されたときに、以下の詳細な説明からより明白となるであろう。
【図面の簡単な説明】
【００１１】
図面は、技術の実施形態を図示し、限定的ではない。図示を明確かつ容易にするために、図面は、スケール通りで作製されない場合があり、いくつかの場合には、種々の側面が、特定の実施形態の理解を促進するように誇張または拡大されて示され得る。
【図１】図１は、光学ベンチに固着され、それに固着された複数の光学要素を有する、低干渉光学マウントアセンブリの実施形態の斜視図である。
【図２】図２は、光学要素および光学ベンチを伴わずに示される、図１の低干渉光学マウントの斜視図である。
【図３】図３は、図２の低干渉光学マウントアセンブリの正面図である。
【図４】図４は、および４は、図２の低干渉光学マウントアセンブリの側面図である。
【図５】図５は、回転支持フレームアセンブリの斜視図である。
【図６】図６は、回転支持フレームの実施形態の立面図である。
【図７】図７は、図６の回転支持フレーム実施形態の斜視図である。
【図８】図８は、板ばねプレートの実施形態の斜視図である。
【図９】図９は、光学マウント（図示せず）によって占有され得る光学要素の使用可能表面の割合を描写する、光学要素の概略図である。
【図１０】図１０は、市販の光学マウント（図示せず）によって占有され得る光学要素の使用可能表面の割合を描写する、光学要素の概略図である。
【図１１】図１１は、市販型光学マウントの中に配置される光学要素の立面における概略図である。
【図１２】図１２は、図１１の光学要素および光学マウント、ならびに光学要素に向かって複数のビームを発している光ビーム源の概略上面図である。
【図１３】図１３は、図３の低干渉光学マウントアセンブリの断面図である。
【図１４】図１４は、光学マウントアセンブリ実施形態を描写する、図１３の拡大図である。
【図１５】図１５は、図３の光学マウントアセンブリ実施形態に搭載される光学要素も含む、図１３の拡大図である。
【図１６】図１６は、光学要素と係合させられる接点実施形態を描写する、図１５の拡大図である。
【図１７】図１７は、実施形態へのガードリングの追加を伴う、図１の低干渉光学マウントアセンブリ実施形態を描写する。
【図１８】図１８は、光学ベンチに縦一列に固着される、複数の低干渉光学マウントアセンブリ実施形態（および複数の搭載された光学要素）を示す。
【図１９】図１９は、光学ベンチに縦一列に固着される、複数の低干渉光学マウントアセンブリ実施形態（および複数の搭載された光学要素）を示す。
【図２０】図２０は、低干渉光学マウント実施形態および低干渉光学マウント実施形態に搭載される光学要素の斜視図である。
【図２１】図２１は、光学マウント本体の一部が隠されている、図２０の低干渉光学マウント実施形態の斜視図である。
【図２２】図２２は、図２０の低干渉光学マウント実施形態および光学要素の両方の断面図である。
【図２３】図２３は、低干渉光学マウント実施形態およびこの実施形態に搭載される光学要素の斜視図である。
【図２４】図２４は、図２３の低干渉光学マウント実施形態および光学要素の立面図である。
【図２５】図２５は、図２３の低干渉光学マウント実施形態の上面図である。
【図２６】図２６は、図２３の低干渉光学マウント実施形態および光学要素の断面における立面図である。
【図２７】図２７は、低干渉光学マウント実施形態およびこの光学マウント実施形態に搭載される光学要素の斜視図である。
【図２８】図２８は、図２７の低干渉光学マウント実施形態および光学要素の断面図である。
【図２９】図２９は、低干渉光学マウントアセンブリの実施形態の概略図の立面図である。
【図３０】図３０は、低干渉光学マウントアセンブリの実施形態の概略図の立面図である。
【図３１】図３１は、低干渉光学マウントアセンブリ実施形態の斜視図である。
【図３２】図３２は、複数の光学要素が実施形態に搭載された、図３１の低干渉光学マウントアセンブリ実施形態の斜視図である。
【図３３】図３３は、図３１の低干渉光学マウントアセンブリ実施形態の正面図である。
【図３４】図３４は、図３１の低干渉光学マウントアセンブリ実施形態の側面図である。
【図３５】図３５は、図３４の実施形態の囲まれた部分３の拡大図である。
【図３６】図３６は、クランプ板実施形態の斜視図である。
【図３７】図３７は、図３７のクランプ板実施形態およびクランプ板に連結された複数の光学要素の立面図である。
【図３８】（説明なし）
【図３９】図３９は、回転支持フレーム実施形態の立面図である。
【図４０】図４０は、図３９の回転支持フレーム実施形態、光学マウント実施形態、およびボール戻り止め装置の複数の実施形態の断面図である。
【発明を実施するための形態】
【００１２】
（詳細な説明）
本明細書で議論される実施形態は、概して、レンズ、鏡、フィルタ、または同等物等の光学要素を光学装置の光学ベンチ等の光学表面に固着するために使用され得る、低干渉光学マウントおよびそのアセンブリを対象とする。次いで、光学要素は、レーザ、カメラ、検出器、および同等物等の光学装置の他の光学構成要素と相互作用してもよい。低干渉光学マウントは、光学要素が低干渉光学マウントに迅速かつ容易に連結され、そしてそこから解放され得るように構成されてもよい。各光学要素は、概して、少なくとも１つの使用可能表面を組み込み、レンズ等の光学要素に関して、使用可能表面は、輪郭形成された表面または化学処理された表面であってもよい。鏡等の光学要素が、光学的に反射性であるように構成される使用可能表面を有してもよい一方で、フィルタ等の光学要素は、略平坦で相互と平行である、複数の使用可能表面を有してもよい。光学要素をしっかりと連結するために、低干渉光学マウント実施形態は、接点および／または接触表面として光学要素の複数の表面を利用してもよい。接触表面のうちのいくつかは、光学要素の使用可能表面を含んでもよく、低干渉光学マウントは、接触表面として使用される光学要素の使用可能表面の量を最小限にするように構成されてもよい。このようにして、搭載状態である間に、各光学要素の使用可能表面の利用可能な表面積が最大限にされているため、各光学要素の有用性が増加させられる。
【００１３】
薄型光学マウントのいくつかの実施形態が、単一の光学要素を搭載するように構成されてもよい一方で、薄型光学マウントの他の実施形態は、同時に複数の光学要素を搭載するように構成されてもよい。同時に複数の光学要素１２を搭載することが可能である低干渉光学マウントアセンブリ１０は、基礎部材１４と、回転支持フレーム１６と、図１および２に示されるように支持フレーム１６の外側部分の周囲に配置される複数の光学マウント１８とを含んでもよい。低干渉光学マウントアセンブリは、光学ベンチ１１上に搭載されてもよい。回転支持フレーム１６は、基礎部材１４の遠位区分２０に回転可能に連結され得る、剛性ディスク（図６および７参照）として構成されてもよい。いくつかの場合には、回転支持フレーム１６は、システム１０の各光学マウント１８の円周方向場所に対応する内向きのくぼみを伴う、若干波形の外周を有してもよい。支持フレーム１６のいくつかの実施形態のディスクは、約２．０インチ〜約２．５インチの外側横寸法と、約０．２インチ〜約０．３インチの厚さとを有してもよいが、搭載される光学要素１２の形状およびサイズに応じて、多くの他の寸法が適切であり得る。基礎部材１４は、いくつかの実施形態では、略円筒形状を有してもよい。
【００１４】
回転支持フレーム１６は、回転支持フレーム１６の外面２６が、回転中に基礎部材１４の外面２８と実質的に同心状であるように、回転軸２４の周囲で基礎部材１４に対して（図３の矢印２２によって示されるように）回転してもよい。いくつかの実施形態に関して、回転支持フレーム１６と基礎部材１４との間の回転可能連結配列は、回転支持フレーム１６が、回転中に回転軸２４に沿って基礎部材１４に対して実質的に一定の軸方向位置を維持するように、構成されてもよい。フレーム調節ノブ３０は、基礎部材１４の外面２８と同心状であるように配置されているフレーム調節ノブ３０の外面３４を伴って、基礎部材１４の近位区分３２に配置されてもよい。フレーム調節ノブ３０は、フレーム調節ノブ３０を回転させることが、回転軸２４の周囲で回転支持フレーム１６の回転をもたらすように、回転支持フレーム１６に動作可能に連結されてもよい。
【００１５】
低干渉光学マウントアセンブリ１０は、複数の光学要素１２が回転支持フレーム１６に連結されることを可能にするように構成されてもよい。このような目的で、複数の光学マウント１８が、回転支持フレーム１６の周囲に配置されてもよく、各光学マウント１８は、それに加えて光学要素１２に解放可能に固着するように構成される。図３に示される低干渉光学マウントアセンブリ実施形態１０は、両方とも回転支持フレーム１６上に堅く配置される、第１の光学マウント３６と、第２の光学マウント３８とを含んでもよい。各光学マウント１８は、回転軸２４から共通半径方向距離において回転軸２４の周囲で円周方向に配置されてもよい。各隣接光学マウント１８の間の角度円周方向分離は、回転支持フレーム１６の周囲に配置される光学マウント１８の数に応じて、低干渉光学マウントアセンブリ１０の異なる実施形態について変動し得る。図３に示される実施形態に関して、第１の光学マウント３６は、図３に示されるように、約４５度の角度円周方向分離４０によって第２の光学マウント３８から分離される。所与の数の光学マウント１８を伴う低干渉光学マウントアセンブリ１０の所与の実施形態に関して、光学マウント１８の全体は、各隣接光学マウント１８の間の角度円周方向分離４０が実質的に等しいように構成されてもよい。例えば、低干渉光学マウントアセンブリ１０の実施形態が４つの光学マウント１８を有する場合、光学マウント１８は、各隣接光学マウント１８の間の角度円周方向分離４０が約９０度であるように構成されてもよい。
【００１６】
回転支持フレーム１６は、回転軸２４の周囲で基礎部材１４に対して回転させられると、回転軸２４の周囲でその光学マウント１８に固着された任意の光学要素１２を回転させる。したがって、低干渉光学マウントアセンブリ１０に搭載される任意の光学要素１２は、光学装置の光学構成要素と相互作用するよう、選択的に位置付けられてもよい。例えば、低干渉光学マウント１０に搭載される第１のフィルタ等の光学要素１２は、光学装置のレーザの光ビームと相互作用するように位置付けられてもよい。次いで、回転支持フレーム１６の回転は、第２のフィルタがレーザのビームと相互作用するように、第１のフィルタによって占有された位置へ第２のフィルタを回転させてもよい。回転支持フレームの別の回転は、第３のフィルタがレーザと相互作用するように、第２のフィルタによって占有された位置へ第３のフィルタを回転させてもよい等である。したがって、それぞれの光学マウント１８に搭載される各光学要素１２は、光学装置の所与の光学構成要素と相互作用してもよい。
【００１７】
回転軸２４から（それぞれの光学マウント１８に搭載される）各光学要素１２までの半径方向距離は、回転支持フレーム１６の回転２２後に、各光学要素１２が光学構成要素に対して適切に位置付けられるために、実質的に等しくあり得る。図３は、約４５度の角度円周方向分離４０において回転支持フレーム１６上に配置される、第１の光学マウント３６および第２の光学マウント３８を描写する。上記で議論されるように、第１の光学マウント３６および第２の光学マウント３８は、回転軸２４から共通半径４２において配置される。付加的光学マウント１８もまた、回転軸２４から同一の共通半径４２において固定関係で半径方向に配置される。いくつかの場合には、各光学マウント１８およびその中に搭載された光学要素１２の共通半径方向位置を判定するために、以下で議論される光学停止部５２の半径方向位置を使用することが有用であり得る。このようにして、低干渉光学マウントアセンブリ１０の光学マウント１８に搭載される各光学要素１２は、角度円周方向分離４０を通した回転支持フレーム１６の十分な回転後に、いずれか他の光学要素１２と位置を交換してもよい。
【００１８】
各光学マウント１８は、光学要素１２を低干渉光学マウントアセンブリ１０に解放可能かつ制御可能に締め付けるように構成されてもよい。任意の好適な光学要素１２が搭載されてもよいが、本明細書で議論される光学マウントアセンブリ実施形態１０は、概して、フィルタ、鏡、窓、および同等物を含む、平坦で平行な対向する使用可能表面を有する、光学要素１２を搭載するために使用される。そのような光学要素１２のいくつかの実施形態は、丸い、長方形、正方形、または任意の他の好適な形状である、外周形状を有してもよい。各光学マウント１８は、順に、図５および６に示されるように光学マウント本体４４の外側半径方向縁４８に沿って配置される、基準面４６を含み得る、光学マウント本体４４を含んでもよい。基準面４６は、回転支持フレーム１６の回転軸２４と垂直である平面内に位置する。基準面４６は、光学要素１２の部分外縁５０に接触し、光学要素１２の周辺の大部分を接触がない状態にするように構成されてもよい。光学マウント本体４４はまた、基準面４６の平面から延在し、基準面４６と固定関係で配置される、光学停止構造５２を組み込んでもよい。光学停止構造５２は、基準面４６の内側半径方向境界線５４を境界してもよく、搭載される光学要素１２の外縁５０が接触し得る表面を提供してもよい。
【００１９】
光学要素１２は、板ばねクランプアセンブリ５６（図５参照）として構成されるクランプによって、光学マウント１８に解放可能かつ制御可能に固着されてもよい。板ばねクランプアセンブリ５６は、基準面４６と反対に配置される、少なくとも１つの接点５８を含んでもよい。板ばねクランプアセンブリ５６は、基準面４６と略垂直である方向に基準面４６に対して移動可能であり得、板ばねクランプアセンブリ５６は、少なくとも１つの接点５８と基準面４６との間で光学要素１２を解放可能かつ制御可能に締め付けるように構成されてもよい。基準面４６、光学停止構造５２、および板ばねクランプアセンブリ５６は全て、光学要素１２の使用可能表面の最小限の光学干渉を伴って、光学要素１２を光学マウント１８に解放可能かつ制御可能に締め付けるように構成されてもよい。光学マウントに搭載される光学要素１２は、光学要素１２の外面６０または縁が光学停止構造５２と接触するように配置されてもよい。光学要素１２の第１の使用可能表面６２は、基準面４６に接触してもよく、光学要素１２の第２の使用可能表面６４は、光学要素１２の反対側で板ばねクランプアセンブリ５６の接点５８によって接触させられてもよい。
【００２０】
図９で描写される光学要素１２は、いくつかの場合には、光学マウント１８が光学的に干渉する光学要素１２の使用可能表面の部分を図示するために使用される。光学要素１２は、光学要素の中心軸６８から光学要素１２の外縁６０まで延在する半径６６を有する。半径６６は、光学要素１２の第１の使用可能表面６２の面積に跨架する。マウント半径７０は、光学要素１２の中心軸６８から、光学マウント１８が光学的に干渉する光学要素１２の第１の使用可能表面６２の面積であるマウント面積７４の内側半径方向境界線７２まで延在する。マウント面積７４の円周方向範囲は、光学マウント１８が光学的に干渉する第１の使用可能表面６２の周辺の割合を判定する、マウント角度７６によって示される。一般に、（第１の使用可能表面の反対に配置される）第２の使用可能表面６４は、第１の使用可能表面６２のマウント面積７４と実質的に同様に配置されるマウント面積を有し得る。
【００２１】
いくつかの場合には、光学要素１２のマウント面積７４は、光学マウント本体４４の基準面４６の面積によって、および板ばねクランプアセンブリ５６の対応するクランプマウント面積７８によって判定されてもよい。クランプマウント面積７８は、接点５８を取り囲み、概して、基準面４６の輪郭に一致するように構成される外形を有し得る、板ばねクランプアセンブリ５６の面積である。光学マウント１８によって光学的に干渉される光学要素１２の使用可能表面の割合を最小限にするために、基準面４６の面積および対応するクランプマウント面積７８は、光学要素１２への頑丈な握持を依然として提供しながら、最小限にされることができる。すなわち、マウント半径７０およびマウント角度７６は、光学要素１２を光学マウント１８に安全に固着するために十分な各面積を依然として維持しながら、最小値に調節されることができる。図９で見られ得るように、光学要素１２を固着するために光学マウント１８によって使用されるマウント面積７４は、第１の使用可能表面６２のわずかな部分または割合のみを占有する（マウント面積７４は、概して、基準面４６の輪郭に一致する）。
【００２２】
上記で議論されるように、各基準面４６は、光学要素１２の外縁５０に接触し、光学要素１２の使用可能表面の周辺部分の大部分を基準面４６との接触またはそれからの光学干渉がない状態にするように構成される。このような目的で、基準面４６は、概して、それぞれの各光学マウント１８の中に搭載される光学要素１２の使用可能表面積の約１５パーセント未満である表面積を有するように構成されてもよい。いくつかの場合には、基準面４６は、それぞれの各光学マウント１８の中に搭載される光学要素１２の使用可能表面積の約５パーセント〜約２０パーセント、いくつかの場合には、約５パーセント〜約１０パーセントである、表面積を有するような構成およびサイズにされてもよい。加えて、基準面４６のマウント角度７６は、いくつかの場合には、約２５度〜約１００度であってもよい。いくつかの実施形態では、所与の基準面４６のマウント面積７４の最大内向き半径方向侵入は、光学要素１２の使用可能面積の中心部分を光学干渉がない状態にしておくために最小限にされてもよい。したがって、いくつかの場合には、光学要素１２の外縁６０まで延在する半径６６線の長さに対する、光学要素１２の中心軸６８からマウント面積７４の内側境界７２まで延在するマウント半径７０線の長さの比は、少なくとも約７０パーセント、いくつかの場合には、約７５パーセント〜約９０パーセントであってもよい。
【００２３】
これは、光学要素を市販の光学マウントに固着するために、光学要素１２の使用可能表面のはるかに大きい割合（最大２５％またはそれを上回る）を使用する、市販の光学マウント構成と対比されることができる。図１０−１２は、市販の光学マウント８０によって光学的に干渉される、光学要素１２の使用可能表面の割合を図示する。図１０は、第１の使用可能表面６２と、第１の使用可能表面６２と平行かつ反対である第２の使用可能表面６４と、光学要素１２の周辺縁とも称され得る外面６０とを含む、光学要素１２を描写する。光学要素１２は、光学マウント本体８２を有し、図１１および１２で概略的に示される、市販の光学マウント８０上に搭載されることができる。本市販の光学マウント８０は、光学マウント本体８２内に配置され、光学要素１２を固着するように構成される、光学陥凹８４を組み込む。市販の光学マウント８０はまた、光学要素１２の第１の使用可能表面６２および第２の使用可能表面６４の部分を露出する、複数の窓８６も組み込む。この場合、市販の光学マウント８０の窓８６を取り囲む材料は、光学要素１２の使用可能表面の周辺全体に光学的に干渉する。これは、光学要素１２の中心軸６８から光学要素の外縁まで延在する半径線６６を描写する、図１０に図示される。半径線６６は、光学要素１２の第１の使用可能表面６２の面積に跨架する。マウント半径線８８は、光学要素１２の中心軸６８から、市販の光学マウント８０によって光学的に干渉される第１の使用可能表面６２の面積であるマウント面積９２の内側半径方向境界線９０まで延在する。マウント面積９２の円周方向部分は、この場合、光学要素１２の第１の使用可能表面６２の周辺全体に跨架する、マウント角度９４によって示される（本明細書で議論される、ある光学マウント実施形態について、これを図９のマウント角度７６と比較されたい）。一般に、（光学要素１２の第１の使用可能表面６２の反対に配置される）第２の使用可能表面６４は、第１の使用可能表面６２のマウント面積９２に実質的に対応するマウント面積を有し得る。
【００２４】
いくつかの市販の光学マウント８０は、それらのマウント面積９２が光学要素１２の使用可能表面の最大約２５％に干渉するように構成されてもよい。加えて、いくつかの市販の光学マウント構成は、そのような光学マウント８０に搭載される光学要素１２の取り込み角を制限してもよい。図１２は、市販の光学マウント８０、光学マウント１２の光学陥凹８４の中に搭載される光学要素１２、および光源９６（レーザ等）を描写する。光源９６は、光源９６のレンズ１０２から第１の出力ビーム９８および第２の出力ビーム１００を発して示されている。光源９６からの第１の出力ビーム９８は、光源９６のレンズ１０２と実質的に垂直であるように、光源９６から出射する。第１の出力ビーム９８は、第１の使用可能表面６２および第２の使用可能表面６４を通過し、光学干渉を伴わずに光学マウント８０から出射する。光源９６からの第２の出力ビーム１００は、光源９６のレンズ１０２から斜めに出射する。第２の出力ビーム１００は、光学要素１２の第１の使用可能表面６２および第２の使用可能表面６４を通過するが、市販の光学マウント８０の光学マウント本体８２によって光学的に干渉される。したがって、市販の光学マウント８０の幅は、そのような光学マウント８０の中に搭載される光学要素１２の取り込み角に関する制限であり得る。したがって、干渉がない縁を伴って光学要素１２を搭載する、本明細書で議論される光学マウント実施形態は、光学装置の光ビームとの相互作用のために利用可能である、はるかにより広い使用可能面積を提供する。
【００２５】
本明細書で議論される光学マウント実施形態の板ばねクランプアセンブリ５６は、光学要素１２を光学マウント１８に解放可能かつ制御可能に締め付けるように構成されてもよい。光学マウント１８の板ばねクランプアセンブリ５６は、種々の異なる方法で構成されてもよい。低干渉光学マウントアセンブリ１０の実施形態は、板ばねクランプアセンブリ５６として構成され得る、複数のクランプを組み込む。低干渉光学マウントアセンブリ１０は、光学支柱アセンブリ１０６と、基礎部材１４と、回転支持フレーム１６（図６および７を参照のこと）と、回転軸２４から共通半径４２において回転支持フレーム１６上に円周方向に配置される複数の光学マウント１８とを含んでもよい。各光学マウント１８は、基準面４６および光学停止構造５２を組み込み得る、光学マウント本体４４を含んでもよい。
【００２６】
板ばねクランプアセンブリ５６は、図１３に示されるように光学マウント本体４４に対して固定関係で固着され得る、内側半径方向部分１１０を有する、弾性板ばね１０８を含んでもよい。各弾性板ばね１０８はまた、基準面４６と反対に配置される少なくとも１つの接点５８を備える、外側半径方向部分１１２を有してもよい。各弾性板ばね１０８は、基準面４６に対して弾性的に移動可能であるように構成されてもよい。板ばねクランプアセンブリ５６はまた、板ばね１０８内の隙間孔１１８を通過するねじ山付きシャフト１１６を有し、光学マウント本体４４内の噛合ねじ孔１２０と螺合可能に係合させられる、締め付けねじ１１４を含んでもよい。締め付けねじ１１４をきつく締めることにより、板ばね１０８の弾性ばね抵抗を克服し、少なくとも１つの接点５８と基準面４６との間で光学要素１２を解放可能に締め付けるために、板ばね１０８の外側半径方向部分１１２を基準面４６のより近くに押進させる（図１５参照）。締め付けねじワッシャ１１５が、随意に、締め付けねじ１１４と板ばね１１２の外側半径方向部分との間に配置されてもよい。いくつかの場合には、随意の締め付けねじワッシャは、ナイロン（登録商標）等のポリマー材料または任意の他の好適な材料から作製されてもよい。
【００２７】
接点５８と基準面４６との間の分離は、締め付けねじ１１４が緩く、弾性板ばね１０８が図１４に示されるような弛緩した非圧縮状態にあるときに、使用可能表面６２および６４の間の光学要素１２の幅より大きく構成されてもよい。図１６に示されるように、各接点５８の表面５９は、光学要素１２に接触するときに変形してもよい。接点５８の変形は、光学要素１２の第２の使用可能表面６４への接点５８の付着を増加させてもよく、また、接点５８による光学要素１２の第２の使用可能表面６４への損傷を防止してもよい。
【００２８】
弾性板ばね１０８は、変形構成に変形させられ、非変形構成に弾性的に戻る能力を有する、任意の好適な高強度弾性材料から加工されてもよい。弾性板ばね１０８のための好適な材料は、ばね鋼、複合材料、および同等物を含んでもよい。低干渉光学マウントアセンブリ１０のいくつかの構成に関して、光学マウント本体４４、弾性板ばね１０８、および締め付けねじ１１４は、基準面４６と接点５８との間に約１ｍｍ〜約１０ｍｍの相対的調節可能分離を提供するように構成されてもよい。これは、１ｍｍ〜１０ｍｍの幅を伴う光学要素１２が、干渉を伴わずに基準面４６と接点５８との間に挿入されることを可能にする。いくつかの実施形態に関して、各弾性板ばね１０８の外側半径方向部分１１２は、弾性板ばね１０８が図１４に示されるような弛緩した非圧縮状態にあるときに、基準面４６の平面に対して約８度〜約１２度の事前設定角度１２２を形成する。
【００２９】
示される低干渉光学マウントアセンブリ１０の実施形態に関して、弾性板ばね１０８は全て、図８に示されるようにモノリシック板ばね部材１２４に含まれてもよい。モノリシック板ばね部材１２４は、モノリシック板ばね部材１２４の中心ハブ１２６から延在する各弾性板ばね１０８の内側半径方向部分１１０を伴って、一片の薄い弾性材料から形成されることができる。隣接する弾性板ばね１０８は、モノリシック板ばね部材１２４の各弾性板ばね１０８の実質的に独立した圧縮を可能にするよう、ハブ１２６からモノリシック板ばね部材１２４の外側半径方向縁１３０まで延在する、半径方向に配向したスロット１２８によって分離されてもよい。モノリシック板ばね部材１２４の板ばね１０８は、全て同一のサイズであり、それぞれの締め付けねじ１１４による圧縮に対して同一の弾性抵抗を有するように構成されてもよい。各弾性板ばね１０８の内側半径方向部分１１０は、図５に示されるように、それぞれの他の弾性板ばね１０８の締め付けねじ１１４によって及ぼされる圧縮力によって、光学マウント本体８２と固定関係で固着されてもよい。モノリシック板ばね部材１２４の角度配向は、支持フレーム１６の前面に固着され、そこから延在しているピン１２５によって、固定または別様に制限されてもよい。ピン１２５は、示されるように半径方向に配向したスロット１２８のうちの１つの中に配置されてもよい。
【００３０】
板ばねクランプアセンブリ５６は、光学要素１２を所与の光学マウント１８に挿入するためにツールを必要とすることなく、手動で起動されることができる。各光学マウント本体４４は、図６および７に示されるように、回転支持フレーム１６に一体的に形成されてもよい。回転支持フレーム１６は、一片の材料からモノリシックに形成されてもよい。モノリシックに形成された支持フレーム１６の材料は、アルミニウム等の軽量剛性材料であってもよい。支持フレーム１６、基礎部材１４、またはシステム１０のある他の構成要素のための他の好適な材料は、ステンレス鋼を含む金属合金、複合材料、セラミック材料、および同等物等の剛性の安定した高強度材料を含んでもよい。いくつかの実施形態に関して、低干渉光学マウントアセンブリ１０は、回転支持フレーム１６の円周の周囲で均等に離間され得る、約２個の光学マウント１８〜約１０個の光学マウント１８を含むことができる。ある場合には、低干渉光学マウントアセンブリ１０は、回転支持フレーム１６の円周の周囲で均等に離間される複数の光学マウント１８が、全体的にコンパクトなデバイスを提供するが、依然として、縁から光学要素１８を握持しながら全ての光学マウント１８からの光学要素１２の手動搭載および除去を可能にする、角度円周方向分離４０を含むように、構成されてもよい。低干渉光学マウントアセンブリ１０のいくつかの実施形態は、それぞれ、約１インチの外径を有する光学要素１２を搭載するように構成され、それぞれ、約４５度の角度円周方向分離４０を有し、それぞれ、約２０ｍｍ〜約３０ｍｍの回転軸２４からの半径方向距離に配置される光学停止構造５２を有する、８個の光学マウント１８を伴って構成されてもよい。
【００３１】
いくつかの実施形態に関して、板ばねクランプアセンブリ５６は、１〜３個の接点実施形態５８を含んでもよい。各接点実施形態５８は、接点実施形態５８を使用して搭載される光学要素１２の材料より軟質であるように構成され得る、弾性ポリマー材料から形成されてもよい。搭載される光学要素１２の材料より軟質である、この弾性ポリマーは、接点５８の締め付け力を分配し、光学要素１２の材料を破壊または別様に損傷し得る圧力点を防止するために十分であり得る。弾性変形および締め付け力分布は、図１６に図示される。いくつかの実施形態に関して、接点５８は、ナイロン、Ｔｅｆｌｏｎ（登録商標）等のポリテトラフルオロエチレン、および同等物から形成されてもよい。他の実施形態に関して、接点５８は、弾性板ばね１０８の薄い弾性材料に突出部をプレス加工し、接点５８を弾性ポリマー材料でコーティングすることによって形成されてもよい。接点５８のコーティング６１は、浸漬、噴霧、蒸着方法、および同等物によって適用されてもよい。いくつかの場合には、各接点５８のポリマーコーティングは、約０．００００５インチ〜約０．００３インチ、より具体的には、約０．０００５インチ〜約０．００３インチ、さらにより具体的には、約０．０００５インチ〜約０．００１インチの厚さを有してもよい。接点５８に適用される同一のコーティング６１はまた、弾性板ばね１０８の両側の表面全体を含む、弾性板ばね１０８の付加的な部分をコーティングするために使用されてもよい。弾性板ばね１０８の他の部分のそのようなコーティングは、望ましくないビーム反射を最小限にするか、または防止する、暗いもしくは黒い非反射性表面を提供するために有用であり得る。
【００３２】
以前に議論されたように、回転支持フレーム１６は、回転支持フレーム１６が基礎部材１４に対して回転軸２４の周囲で回転することができるように、基礎部材１４に連結されてもよい。図１３は、回転支持フレーム１６、基礎部材１４、およびフレーム回転ノブ３０の断面図である。潤滑ブッシング１３２が、基礎部材１４の円筒形内面上に配置されてもよい。ブッシング１３２は、基礎部材１４の孔１３６の内面１３４に固着されてもよい。ブッシング１３２は、回転軸２４と同軸状に延在する円筒孔１３８を含んでもよい。回転支持フレーム１６の回転シャフト１４０は、回転軸２４の周囲でシャフト１４０および回転支持フレーム１６の正確な回転を促進する、ブッシング１３２の円筒孔１３０との密接嵌合を有するように構成される、外側円筒表面１４２を有してもよい。いくつかの実施形態に関して、潤滑ブッシング１３２は、ナイロンから加工されてもよい。フレーム回転ノブは、締結具１４４によってシャフトに固着されてもよい。したがって、フレーム回転ノブ３０の回転は、潤滑ブッシング１３２の内側孔１３８内で自由に回転する、シャフト１４０の円筒表面１４２を回転させる。フレーム回転ノブ３０の本回転は、順に、シャフト１４０に堅く固着される回転支持フレーム１６を回転させる。
【００３３】
回転支持フレーム１６と基礎部材１４との間のインターフェースは、回転支持フレーム１６が基礎部材１４に対してツールを使用することなく手動で回転させられることができるように、構成されてもよい。回転支持フレーム１６の回転はさらに、インデキシングが回転支持フレーム１６の周囲に配置される複数の光学マウント１８の円周方向間隔４０に合致するように構成され得る、インデックス化様式で実行されることができる。同一のインデックス化構成が、本明細書で議論される任意の回転マウントアセンブリ実施形態のために使用されてもよい。
【００３４】
いくつかの場合には、回転支持フレーム１６と基礎部材１４または本明細書の任意の他の回転マウントアセンブリ実施形態の対応する構成要素との間のインデックス化インターフェースは、複数の低干渉光学マウント１８の角度円周方向間隔４０に合致するように構成される角度円周方向戻り止め間隔２７０を伴う、少なくとも１つのボール戻り止め装置２６８を含んでもよい。各ボール戻り止め装置２６８は、球形ボール２７４と、ボールばね２７６と、基礎部材本体２８０内に配置されるばねチャネル２７８と、回転支持フレーム１６の後面２８４上に配置される少なくとも１つの戻り止め２８２とを含んでもよい。球形ボール２７４およびボールばね２７６は、回転支持フレーム１６、基礎部材１４、および複数のボール戻り止め装置実施形態２６８の断面図である、図４０に示されるように、ボールがばねチャネル２７８の遠位端２８６の近傍に配置されるように、ばねチャネル２７８内に構成されてもよい。各ボールばね２７６は、各球形ボール２７４上に復元力２８８を提供し、各復元力２８８は、回転軸２４と平行に、かつ回転支持フレーム１６の後面２８４に向かって指向される。
【００３５】
回転支持フレーム１６の後面２８４は、図３９に示されるように、戻り止め２８２の円形アレイを伴って構成されてもよい。角度円周方向戻り止め間隔２７０（隣接する戻り止め２８２の間の角度間隔）は、複数の低干渉光学マウント１８の角度円周方向間隔４０に合致するように構成されてもよい（図３参照）。図４０に示されるボール戻り止め装置実施形態２６８に関して、各ボールばね２７６は、それぞれの復元力２８８をそれぞれの各球形ボール２７４に印加してもよい。各復元力２８８は、各球形ボールに、圧力をそのそれぞれの戻り止め２８２に印加させ、それによって、基礎部材１４に対する回転支持フレーム１６の（回転軸２４に対する）角回転を防止する。次いで、回転支持板１６は、各球形ボール２７４が新しいそれぞれの戻り止め２８２と係合する、新しい角度位置へ、回転軸２４の周囲で回転させられてもよい。したがって、ボール戻り止め装置２６８の使用は、同様に回転支持フレーム１６上に配置される光学マウント１８の位置に対応する、回転支持フレーム上の戻り止め２８２位置を伴って、基礎部材１４に対する回転支持フレーム１６のインデックス化回転を可能にする。各戻り止め２８２位置は、図３９に示されるように番号で標識されてもよく、各番号は、低干渉光学マウントアセンブリ１０のユーザが、各光学マウント１８の中に異なる光学要素構成を配置し、次いで、番号を使用して各光学要素構成の位置を追跡することを可能にする。本明細書で議論されるシステム１０のいくつかの実施形態では、支持フレーム１６と基礎部材１４との間の係合したボール戻り止め装置２６８を抜去するために必要とされるトルクの量が、締め付けねじ１１４のうちの１つを旋回させるために必要とされるトルクの量より大きいことも有用であり得る。そのような場合において、締め付けねじ１１４は、支持フレーム１６の角度位置を抜去することなく、光学要素１２をそのそれぞれの光学マウント１８に搭載し、またはそこから除去するために、調節されることができる。
【００３６】
基礎部材１４は、光学支柱アセンブリ１０６の光学支柱１４８に搭載するように構成される、少なくとも１つの支柱マウントインターフェース１４６（図１３参照）を含んでもよい。支柱マウントインターフェース１４６は、光学支柱１４８のねじ山付き拡張部に連結するように構成される、ねじ孔として構成されてもよい。基礎部材１４のいくつかの実施形態は、異なる光学支柱１４８の複数のねじ山付き拡張部に連結するように構成される、複数のねじ孔１４８を含んでもよい。例えば、基礎部材１４は、Ｍ４ねじ山が切られる第１のねじ孔１４８と、８−３２ねじ山が切られる第２のねじ孔１５０とを有してもよい。上記で議論されるように、基礎部材１４は、アルミニウム等の軽量剛性材料または他の好適な材料から形成されてもよい。
【００３７】
各光学マウント本体４４は、光学停止構造５２を含んでもよい。各光学停止構造実施形態５２は、図５に示されるように、そのそれぞれの基準面４４の平面の上方に延在する隆起として形成されてもよい。隆起は、回転軸２４から略半径方向外向きに対面する表面１５２を形成する。加えて、隆起の表面輪郭は、略円形である。隆起の円形輪郭の半径１５４（図６参照）は、約０．２５インチ〜約１インチであってもよい。
【００３８】
薄型光学マウントアセンブリ実施形態１０は、随意に、図１７に示される外側ガードリング１５６を含んでもよい。外側ガードリング１５６は、複数の光学要素１２の周囲に剛性保護リングを提供することによって、低干渉光学マウントアセンブリ１０に固着される複数の光学要素１２を保護するように構成されてもよい。外側ガードリング１５６は、それらのそれぞれの光学マウント１８の中に搭載される光学要素１２の全ての外側半径方向縁１６０を通過するようなサイズにされる横寸法を伴う開口１５８を有してもよい。さらに、外側ガードリング１５６は、光学マウント１８の中に搭載される光学要素１２の間に嵌合するようなサイズにされる１つまたはそれを上回る半径方向拡張部材１６２によって、回転支持フレーム１６に固着されてもよい。
【００３９】
複数の薄型光学マウントアセンブリ実施形態１０は、光学ベンチ１１または他の好適な作業表面上で縦一列に動作することができるように構成されてもよい。図１８および１９は、低干渉光学マウントアセンブリ１０の２つの別個の実施形態を描写する。低干渉光学マウントアセンブリ１０は、２つの光学要素１２（それぞれの薄型光学マウントアセンブリ１０から１つ）が光学的に整合しているように、光学ベンチ１１上に配列される。薄型光学マウントアセンブリ１０の本構成は、複数の光学要素１２を光学的に組み合わせるために有用である。図１８および１９に示される配列に関して、２つの低干渉光学マウントアセンブリ１０は、各アセンブリからの１つの光学要素１２が、光学要素１２のうちの１つの全直径によって相互に完全に重複することができるように、位置付けられる。本構成では、重複した光学要素１２の中心軸６８は、いずれか一方の光学要素１２の使用可能表面と垂直な光ビームが両方の整合した光学要素１２を通過するように、整合させられてもよい。ユーザは、いずれか一方のアセンブリのそれぞれのフレーム回転ノブ３０を回転させることによって、いずれか一方のアセンブリのどの光学要素１２を使用するかを選択してもよい。示される配列に関して、２つの薄型光学マウントアセンブリ１０は、そのそれぞれの重複した光学要素１２が近接近することを可能にするように、反対方向に対面している。
【００４０】
低干渉光学マウントアセンブリ１０のいくつかの特定の実施形態に関して、支持フレーム１６は、約４２度〜約４８度、より具体的には、約４５度の円周方向角度間隔で支持フレーム１６の外側部分の周囲に配置される８個の光学マウント１８を伴って構成されてもよい。各光学マウント１８の光学停止部５２は、約０．９インチ〜約０．９３インチの回転軸２４から共通半径４２に配置されてもよい。光学停止表面５２は、平坦な平行表面を有する丸い光学要素１２に適応するように構成される、約０．５インチの半径を伴う円形輪郭を有してもよく、光学要素１２はまた、約１インチの外径も有する。光学停止表面５２は、いくつかの場合には、約０．０４インチ〜約０．０８インチ、より具体的には、約０．０５インチ〜約０．０７インチの距離だけ、基準面４６から延在してもよい。いくつかの実施形態では、光学停止表面５２が基準面４６から延在する距離は、搭載される光学要素１２の厚さより小さいことが有用であり得る。本関係は、クランプが光学要素１２を基準面４６に固着するための必要な隙間を提供してもよい。支持フレーム１６の外側横寸法は、約２．０インチ〜約２．５インチ、および約０．２３インチ〜約０．２７インチの厚さであってもよい。各光学マウント１８の基準面４６は、光学要素１２の使用可能面積の約５パーセント〜約１０パーセントである面積を有するように構成されてもよく、より具体的には、基準面４６は、光学要素１２の使用可能面積の約７パーセント〜約８パーセントである面積を有してもよい。いくつかの場合には、基準面４６は、約０．０６平方インチ〜約０．０６２平方インチの表面積を有してもよい。加えて、基準面４６は、マウント角度７６が、約８０度〜約９０度、より具体的には、約８３度〜約８７度であるように、１インチ直径光学要素に係合するように構成されてもよい。また、光学要素１２の半径線６６に対するマウント半径７０の長さの比は、約０．８〜約０．８２であってもよい。そのような実施形態に関して、回転軸２４から各光学マウント１８の締め付けねじ１１４のための噛合ねじ孔１２０までの半径方向距離は、約０．８インチ〜約０．９インチであってもよい。そのような実施形態のマウント角度７６に沿った基準面の角度範囲にわたる光学要素１２の使用可能表面６２の中への基準面４６の半径方向侵入は、約０．９インチ〜約０．９２インチであってもよい。本寸法はまた、光学停止構造５２から光学停止構造５２に沿って光学要素１２の中心軸６８に向かった、基準面の実質的に一定の半径方向拡張に対応する。１インチ直径を有する光学要素１２を搭載するように構成される、これらの特定の実施形態に関して上記で議論される寸法および範囲はまた、他の直径サイズの光学要素１２を搭載するために好適であるよう、拡大縮小され得ることに留意されたい。例えば、２インチ直径を有する光学要素１２に適応するために、１インチ直径光学要素１２に適応するように構成される低干渉光学マウントアセンブリ１０との関連で上記に議論される、寸法および範囲のうちのいくつかまたは全てのサイズ値を倍にすることが好適であり得る。角度値および比のうちのいくつかまたは全ては、そのような拡大縮小のために一定のままであろう。さらに、光学要素１２の任意の他のサイズに適応するために、これらの寸法および範囲を好適に外挿または補間してもよい。
【００４１】
光学マウント１８はまた、単一の光学要素１２を搭載するように構成されてもよい。図２０−２２は、低干渉光学マウントアセンブリ１０の板ばねクランプ構成を利用する、薄型単一光学マウント１６４の実施形態を描写する。薄型単一光学マウント１６４は、光学マウント本体１６６を組み込んでもよい。光学マウント本体１６６は、光学マウント本体１６６の外縁に沿って配置され、光学要素１２の部分外面に接触し、光学要素１２の周辺の大部分を接触がない状態にするように構成される、基準面１６８を含んでもよい。光学マウント本体１６６はまた、基準面１６８の平面から延在し、基準面１６８と固定関係で配置される、光学停止構造１７０を含んでもよい。光学停止構造１７０は、基準面１６８の内側境界１７２を境界してもよく、搭載される光学要素１２の外縁５０が接触する表面を提供してもよい。光学要素１２のための物理的停止部を提供する、光学停止構造１７０は、基準面１６８の平面の上方に延在する、弧状隆起として構成されてもよい。光学停止構造１７０の半径は、約０．２５インチから約１インチまで及んでもよい。光学マウント本体１６６は、アルミニウム等の軽量剛性材料から形成されてもよい。光学マウント本体１６６または本明細書で議論される任意の他の光学マウント本体のための他の好適な材料は、ステンレス鋼を含む金属合金、複合材料、セラミック材料、および同等物等の剛性の安定した高強度材料を含んでもよい。
【００４２】
薄型単一光学マウント１６４はまた、基準面１６８と反対に配置され、基準面１６８と略垂直である方向に基準面１６８に対して移動可能である、板ばねクランプアセンブリ１７４を含んでもよい。板ばねクランプアセンブリ１７４は、板ばねクランプアセンブリ１７４の少なくとも１つの接点１７６と基準面１６８との間で光学要素１２を解放可能かつ制御可能に締め付けるように構成される。板ばねクランプアセンブリ１７４は、光学マウント本体１６６に対して固定関係で固着される内側半径方向部分１８０を有する、弾性板ばね１７８を含んでもよい。板ばねクランプアセンブリ１７４はまた、基準面１６８と反対に配置される少なくとも１つの接点１７６を備え、基準面１６８に対して弾性的に移動可能である、外側半径方向部分１８２を有してもよい。弾性板ばね１７８の外側半径方向部分１８２は、弾性板ばね１７８が（図１４に類似する）弛緩した非圧縮状態にあるときに、基準面１６８の平面に対して約８度〜約１２度の事前設定角度を形成してもよい。
【００４３】
板ばねクランプアセンブリ１７４はまた、弾性板ばね１７８内の隙間孔１８８を通過するねじ山付きシャフト１８６を有する、締め付けねじ１８４を含んでもよい。ねじ山付きシャフト１８６は、締め付けねじ１８４をきつく締めることにより、板ばね１７８の弾性ばね抵抗を克服し、接点１７６と基準面１６８との間で光学要素１２を解放可能に締め付けるために、板ばね１７８の外側半径方向部分１８２を基準面１６８のより近くに押進させるように、光学マウント本体１６６内の噛合ねじ孔１９０と螺合可能に係合させられてもよい。
【００４４】
光学マウント本体はさらに、ねじ孔として構成され得る、支柱マウントインターフェース１９２を含んでもよい。弾性板ばね１７８は、１〜３個の接点１７６を組み込んでもよい。各接点１７６は、薄型単一光学マウント１６４に搭載され得る光学要素１２の材料より軟質である、弾性ポリマー材料（ナイロン等）から形成されてもよい。代替として、各接点１７６は、弾性板ばね１７８の薄い弾性材料に突出部をプレス加工し、接点１７６を弾性ポリマー材料でコーティングすることによって形成されてもよい。板ばねクランプアセンブリ１７４は、ツールを必要とすることなく、手動で作動させられるように構成されてもよい。
【００４５】
基準面１６８は、光学要素１２の部分外縁に接触し、光学要素１２の周辺の大部分を基準面１６８との接触またはそれからの光学干渉がない状態にするように構成されてもよい。基準面１６８は、搭載される光学要素１２の使用可能表面積の約１５パーセント未満である表面積を備える。さらに、基準面１６８は、丸い光学部を受け入れるように構成され、基準面１６８の最大半径方向幅は、基準面１６８によって受け入れられる丸い光学要素１２の半径の約５パーセント〜約２０パーセントである。基準面１６８は、丸い光学要素１２を受け入れるように構成され、基準面１６８の最大角度円周方向長は、約２５度〜約６０度であってもよい。
【００４６】
図２３−２６は、止めねじクランプ構成を利用する、薄型単一光学マウント１９４の実施形態を描写する。薄型単一光学マウント１９４は、光学マウント本体１９６を組み込んでもよい。光学マウント本体１９６は、光学マウント本体１９６の外縁に沿って配置され、光学要素１２の部分外面に接触し、光学要素の周辺の大部分を接触がない状態にするように構成される、基準面１９８を含んでもよい。光学マウント本体１９６はまた、基準面１９８の平面から延在し、基準面１９８と固定関係で配置される、光学停止構造２００を含んでもよい。光学停止構造２００は、基準面１９８の内側境界を境界してもよく、搭載される光学要素１２の外縁が接触する表面を提供してもよい。光学要素１２のための物理的停止部を提供する、光学停止構造２００は、基準面１９８の平面の上方に延在する、弧状隆起として構成されてもよい。光学停止構造２００の半径は、約０．２５インチから約１インチまで及んでもよい。光学マウント本体１９６は、アルミニウム等の軽量剛性材料から形成されてもよい。光学マウント本体１９６または本明細書で議論される任意の他の光学マウント本体のための他の好適な材料は、ステンレス鋼を含む金属合金、複合材料、セラミック材料、および同等物等の剛性の安定した高強度材料を含んでもよい。
【００４７】
薄型単一光学マウント１９４はまた、基準面１９８と反対に配置され、基準面１９８と略垂直である方向に基準面１９８に対して移動可能である、ガイドピンクランプアセンブリ２０４を含んでもよい。ガイドピンクランプアセンブリ２０４は、少なくとも１つの接点２０６と基準面１９８との間で光学要素を解放可能かつ制御可能に締め付けるように構成される。薄型単一光学マウント１９４はまた、基準面１９８と反対に配置される接点２０６を含む、外側半径方向部分２１０を有する、剛性クランプ板２０８を含んでもよい。クランプ板２０８は、基準面１９８と実質的に垂直である方向に基準面１９８に対して移動可能であり得る。
【００４８】
ガイドピンクランプアセンブリはまた、光学マウント本体１９６に対して実質的に軸方向に固定される一方で、光学マウント本体１９６に対して回転する、締め付けねじ２１２を含んでもよい。締め付けねじ２１２は、締め付けねじ２１２の回転が、クランプ板２０８と光学マウント本体１９６との間で相対的変位を誘導するように、クランプ板２０８のねじ孔２１６と螺合可能に係合させられる、ねじ山付きシャフト２１４を組み込んでもよい。締め付けねじ２１２をきつく締めることにより、図２６に示されるように、各接点２０６と基準面１９８との間で光学要素１２を解放可能に締め付けるために、クランプ板２０８の外側半径方向部分２１０を基準面１９８により近く押進させてもよい。
【００４９】
光学マウント本体はさらに、ねじ孔として構成され得る、支柱マウントインターフェース２１８を含んでもよい。クランプ板２０８は、１〜３個の接点２０６を組み込んでもよい。各接点２０６は、薄型単一光学マウント１９４に搭載され得る光学要素１２の材料より軟質である、弾性ポリマー材料（ナイロン等）から形成されてもよい。代替として、各接点２０６は、クランプ板２０８の薄い弾性材料に突出部をプレス加工し、接点２０６を弾性ポリマー材料でコーティングすることによって形成されてもよい。ガイドピンクランプアセンブリ２０４は、ツールを必要とすることなく、手動で作動させられるように構成されてもよい。
【００５０】
基準面１９８は、光学要素１２の部分外縁に接触し、光学要素１２の周辺の大部分を接触または基準面１９８からの光学干渉がない状態にするように構成されてもよい。基準面１９８は、搭載される光学要素１２の使用可能表面積の約１５パーセント未満である表面積を備える。さらに、基準面１９８は、丸い光学要素１２を受け入れるように構成され、各基準面１９８の最大半径方向幅は、基準面１９８によって受け入れられる丸い光学要素１２の半径の約５パーセント〜約２０パーセントである。基準面１９８は、丸い光学要素を受け入れるように構成され、基準面１２の最大角度円周方向長は、約２５度〜約６０度であってもよい。
【００５１】
図２７および２８は、張力ばねクランプ構成を利用する、薄型単一光学マウント２２０の実施形態を描写する。薄型単一光学マウント２２０は、光学マウント本体２２２を組み込んでもよい。光学マウント本体２２２は、光学マウント本体２２２の外縁に沿って配置され、光学要素１２の部分外面に接触し、光学要素１２の周辺の大部分を接触がない状態にするように構成される、基準面２２４を含んでもよい。光学マウント本体２２２はまた、基準面２２４の平面から延在し、基準面２２４と固定関係で配置される、光学停止構造２２６を含んでもよい。光学停止構造２２６は、基準面２２４の内側境界を境界してもよく、搭載される光学要素１２の外縁が接触する表面を提供してもよい。光学要素１２のための物理的停止部を提供する、光学停止構造２２６は、基準面２２４の平面の上方に延在する、弧状隆起として構成されてもよい。光学停止構造２２６の半径は、約０．２５インチから約１インチまで及んでもよい。光学マウント本体２２２は、アルミニウム等の軽量剛性材料から形成されてもよい。光学マウント本体２２２または本明細書で議論される任意の他の光学マウント本体のための他の好適な材料は、ステンレス鋼を含む金属合金、複合材料、セラミック材料、および同等物等の剛性の安定した高強度材料を含んでもよい。
【００５２】
薄型単一光学マウント２２０はまた、基準面２２４と反対に配置され、基準面２２４と略垂直である方向に基準面２２４に対して移動可能である、張力ばねクランプアセンブリ２３０を含んでもよい。張力ばねクランプアセンブリ２３０は、少なくとも１つの接点２３２と基準面２２４との間で光学要素１２を解放可能かつ制御可能に締め付けるように構成されてもよい。張力ばねクランプアセンブリ２３０は、光学マウント本体２２２に対して枢動するが軸方向に固定された関係で配置される内側半径方向部分２３６を有する、剛性クランプ板２３４を含んでもよい。クランプ板２３４はまた、基準面２２４と反対に配置される少なくとも１つの接点２３２を備え、基準面２２４に対して移動可能である、外側半径方向部分２３８を含んでもよい。
【００５３】
張力ばねクランプアセンブリ２３０はまた、光学マウント本体２２２とクランプ板２３４との間に動作可能に連結される、弾性張力部材２４０を含んでもよい。弾性張力部材２４０は、図２８に示されるように、各接点２３２と基準面２２４との間に光学要素１２を解放可能に締め付けるために、クランプ板２３４の外側半径方向部分２３８を基準面２２４のより近くに引く、弾性付勢締め付け張力を、光学マウント本体２２２とクランプ板２３４との間に及ぼすように構成される。
【００５４】
光学マウント本体はさらに、ねじ孔として構成され得る、支柱マウントインターフェース２４２を含んでもよい。クランプ板２３４は、１〜３個の接点２３２を組み込んでもよい。各接点２３２は、薄型単一光学マウント２２０に搭載され得る光学要素１２の材料より軟質である、弾性ポリマー材料（ナイロン等）から形成されてもよい。代替として、各接点２３２は、クランプ板２３４の薄い弾性材料に突出部をプレス加工し、接点２３２を弾性ポリマー材料でコーティングすることによって形成されてもよい。張力ばねアセンブリ２３０は、ツールを必要とすることなく、手動で作動させられるように構成されてもよい。
【００５５】
基準面２２４は、光学要素１２の部分外縁に接触し、光学要素１２の周辺の大部分を基準面２２４との接触またはそれからの光学干渉がない状態にするように構成されてもよい。基準面２２４は、搭載される光学要素１２の使用可能表面積の約１５パーセント未満である表面積を備える。さらに、基準面２２４は、丸い光学要素を受け入れるように構成され、各基準面の最大半径方向幅は、基準面２２４によって受け入れられる丸い光学要素１２の半径の約５パーセント〜約２０パーセントである。基準面２２４は、丸い光学要素１２を受け入れるように構成され、基準面２２４の最大角度円周方向長は、約２５度〜約６０度であってもよい。
【００５６】
図１の低干渉光学マウントアセンブリ１０を再び参照すると、本実施形態は、モノリシック板ばね構成１２４を使用して、一体的に形成された光学マウント１８を伴って示されているが、光学干渉を最小限にする、任意の他の好適な光学マウントもまた、同一または類似構成のために使用されてもよい。図２９および３０は、アセンブリの回転支持フレーム１６の外周２６の周囲にしっかりと堅く配置された複数の光学マウント１８を伴う、光学マウントアセンブリ１０の概略図を示す。本複数の光学マウント１８は、上記で議論されるように、完全または部分的に一体的に形成されてもよいが、他の光学マウント実施形態もまた、一体的に形成され、または別個に形成され、締結具、接着剤、溶接、ろう付け、はんだ付け、もしくは同等物等の任意の好適な手段によって、回転支持フレーム１６に堅く固着されてもよい。例えば、図２０−２８に示されるような個々の光学マウント実施形態のうちのいずれかは、本質的に図１に示されるような、同一の特徴、寸法、材料等のうちの全てまたはいくつかを有する、光学マウントアセンブリを形成するように、支持フレームの周囲に非常に堅く固着されてもよい。
【００５７】
より具体的には、低干渉光学マウントアセンブリ１０と併せて使用され得る、クランプの別の実施形態が、（関連光学マウントとともに）図２３−２６に図示される。ガイドピンクランプアセンブリ２０４は、基準面１９８と反対に配置される少なくとも１つの接点２０６を備える、外側半径方向部分２１０を有する、クランプ板２０８を含んでもよい。クランプ板２０８は、基準面１９８と実質的に垂直である方向に基準面１９８に対して移動可能であり得る。ガイドピンクランプアセンブリ２０４はまた、光学マウント本体１９６に対して実質的に軸方向に固定される一方で、光学マウント本体１９６に対して回転する、締め付けねじ２１２を含んでもよい。締め付けねじ２１２は、クランプ板２０８のねじ孔２１６と螺合可能に係合させられる、ねじ山付きシャフト２１４を有してもよい。締め付けねじ２１２の回転は、締め付けねじ２１２をきつく締めることにより、図２６に示されるように、クランプ板２０８の外側半径方向部分２１０を基準面１９８により近く押進させ、接点２０６と基準面基準面１９８との間で光学要素１２を解放可能に締め付け得るという点で、クランプ板２１２と光学マウント本体１９６との間の相対的変位を誘導し得る。
【００５８】
ガイドピンクランプアセンブリ２０４はさらに、光学マウント本体１９６と固定関係で固着され得る、複数のガイドピン２４４を含んでもよい。各ガイドピン２４４は、クランプ板２０８内の密接に嵌合するそれぞれの孔を通って延在してもよい（図２５および２６参照）。ガイドピン２４４は、締め付けねじ２１２の長手軸と平行であるクランプ板２０８の移動を可能にするが、全ての他の変位軸におけるクランプ板２０８の移動を制約する。光学マウント本体１９６、クランプ板２０８、および締め付けねじ２１２は、基準面１９８と接点２０６との間に約１ｍｍ〜約１０ｍｍの相対的分離を提供するように構成されてもよい。
【００５９】
低干渉光学マウントアセンブリ１０と併せて使用され得る、クランプの別の実施形態が、（関連光学マウントとともに）図２７および２８に図示される。この実施形態は、張力ばねクランプアセンブリ２３０として構成される。張力ばねクランプアセンブリ２３０は、光学マウント本体２２２に対して枢動するが軸方向に固定された関係で構成される内側半径方向部分２３６を有する、クランプ板２３４を含んでもよい。クランプ板２３４はさらに、基準面２２４と反対に配置される複数の接点２３２を含む、外側半径方向部分２３８を含んでもよい。クランプ板２３４はさらに、基準面２２４に対して移動可能であるように構成されてもよい。
【００６０】
張力ばねクランプ実施形態２３０はさらに、光学マウント本体２２２とクランプ板２３４との間に動作可能に連結される、弾性張力部材２４０を含んでもよい。弾性張力部材２４０は、光学マウント本体２２２とクランプ板２３４との間に弾性付勢締め付け張力を及ぼすように構成されてもよい。弾性付勢締め付け張力は、図２８に示されるように、接点２３２と基準面２２４との間に光学要素１２を解放可能に締め付けるために、クランプ板２３４の外側半径方向部分２３８を基準面２２４のより近くに引いてもよい。張力ばねクランプ実施形態２３０は、接点２３２と基準面２２４との間の分離距離が、クランプ板２３４が光学マウント本体２２２からの分離の完全後退状態にあるときに搭載される光学要素１２の幅より大きいように構成されてもよい。さらに、光学マウント本体２２２、クランプ板２３４、および弾性張力部材２４０は、基準面２２４と接点２３２との間に約１ｍｍ〜約１０ｍｍの相対的分離を提供するように構成されてもよい。弾性張力部材２４０は、コイルばねとして構成されてもよい。
【００６１】
低干渉光学マウントアセンブリ２４６の別の実施形態が、図３１−３５で描写される。低干渉光学マウントアセンブリ２４６は、低干渉光学マウントアセンブリ１０と同一の構成要素の多くを含んでもよい。低干渉光学マウントアセンブリ２４６は、光学支柱アセンブリ１０６と、基礎部材１４とを含んでもよい。低干渉光学アセンブリ２４６はまた、基礎部材１４に回転可能に連結され、回転支持板１６の回転軸２４の周囲で回転するように構成される、剛性回転支持板１６を含んでもよい。回転支持板１６は、回転支持板１６（図７参照）の前面２４９（図７参照）上に配置される基準面２４８を含んでもよい。基準面２４８は、回転軸２４と実質的に垂直である平面内に位置してもよい。
【００６２】
低干渉光学マウントアセンブリ２４６はまた、回転支持板１６に隣接して配置され、光学要素２２３を基準面２４８に解放可能かつ制御可能に締め付けるように構成される、クランプ板２５０を含んでもよい。クランプ板２５０は、基準面２４８と略垂直である方向に基準面２４８に対して移動可能であり得る。クランプ板２５０は、各光学レセプタクル２５２が基準面２４８と反対に配置される接触表面２５４を含む、複数の光学レセプタクル２５２を含んでもよい。各光学レセプタクル２５２は、光学要素２２３の部分外縁に係合し、光学要素２２３の周辺の大部分を接触がない状態にするように構成されてもよい。いくつかの実施形態に関して、光学レセプタクル２５２は、クランプ板２５０に一体的に形成されてもよい。クランプ板２５０は、クランプ板２５０の周囲で均等に離間され得る、約２〜約１０個の光学レセプタクル２５２を組み込んでもよい。各光学レセプタクル２５２の間の角度円周方向分離２５５（図３７参照）は、クランプ板２５０が、コンパクトなままであるが、依然として、縁から光学要素２２３を握持しながら光学レセプタクル２５２からの光学要素２２３の手動搭載および除去を可能にするように、構成されてもよい。基礎部材１４、回転支持板１６、およびクランプ板２５０は、アルミニウム等の任意の好適な軽量剛性材料から加工されてもよい。これらの構成要素１４、１６、および２５０のための他の好適な材料は、ステンレス鋼を含む金属合金、複合材料、セラミック材料、および同等物等の剛性の安定した高強度材料を含んでもよい。
【００６３】
各光学レセプタクル２５２は、第１の光学停止構造２５６と、第２の光学停止構造２５７とを含んでもよい。第１の光学停止構造２５６は、第１の光学停止構造２５６が接触表面２５４と固定関係で配置されている、接触表面２５４の平面から延在してもよい。第２の光学停止構造２５７もまた、第２の光学停止構造２５７も接触表面２５４と固定関係で配置されている、接触表面２５４の平面から延在してもよい。
【００６４】
第１の光学停止構造２５６は、接触表面２５４の平面の上方に延在し、約８５度〜約９５度の内角２５３を伴うＶ字形構成を有する、隆起構造として構成されてもよい。図３７は、複数の第１の光学停止構造２５６を使用してクランプ板２５０の複数の光学レセプタクル２５２の中へ搭載される、複数の光学要素２２３を描写する。それぞれの光学停止構造２５６に搭載される各光学要素２２３は、回転軸２４から第１の要素半径２５９の距離において半径方向に配置されてもよい。それぞれの光学停止構造２５６の中に搭載される各光学要素２２３は、各隣接光学要素２２３から（回転軸２４の周囲の）角度円周方向分離２５５において円周方向に配置されてもよい。第１の光学停止構造は、光学要素２２３の対角線２６１が光学要素２２３のそれぞれの第１の要素半径２５９と実質的に平行であるように、光学要素２２３の複数の外面２５９（図３２参照）に接触するように構成されてもよい。
【００６５】
第２の光学停止構造２５７は、接触表面２５４の平面の上方に延在し、約８５度〜約９５度の内角２６３を伴うＶ字形構成を有する、隆起構造として構成されてもよい。図３７は、複数の第２の光学停止構造２５７を使用してクランプ板２５０の複数の光学レセプタクル２５２の中へ搭載される、複数の光学要素２２３を描写する。それぞれの光学停止構造２５７に搭載される各光学要素２２３は、回転軸２４から第２の要素半径２６６の距離において半径方向に配置されてもよい。それぞれの光学停止構造２５６の中に搭載される各光学要素２２３は、各隣接光学要素２２３から（回転軸２４の周囲の）角度円周方向分離２５５において円周方向に配置されてもよい。第２の光学停止構造２５７は、光学要素２２３の少なくとも１つの外面２５９が光学要素２２３のそれぞれの第２の要素半径２６６と実質的に垂直であるように、光学要素２２３の複数の外面２５９（図３２参照）に接触するように構成されてもよい。
【００６６】
低干渉光学マウントアセンブリ２４６はまた、回転支持板１６と固定関係で固着され、回転支持板１６の面から延在する、ガイドピン２５８を含んでもよい。ガイドピン２５８は、クランプ板２５０を回転支持板１６に円周方向に整合させるため、および回転軸２４の周囲でクランプ板２５０と回転支持板１６との間の相対的回転を防止するために、クランプ板内２５０の孔２６０に摺動可能に連結されてもよい。各光学レセプタクル２５２の接触表面２５４は、それぞれの各光学レセプタクル２５２に搭載される光学要素１２の使用可能表面積の約１５パーセント未満である表面積を有するように構成されてもよい。低干渉光学マウントアセンブリ２４６はまた、クランプ板２５０と回転支持板１６との間に動作可能に連結される、クランプ機構を含んでもよい。図３１の低干渉光学マウントアセンブリに関して、クランプ機構は、手動操作型止めねじ２６２として構成される。止めねじ２６２は、回転支持板１６の基準面２４８に向かってクランプ板の接触表面２５４を制御可能に圧縮するように構成されてもよい。
【００６７】
回転支持板１６は、フレーム調節ノブ３０が、潤滑軸受１３２を通過するシャフト１４０によって回転支持板１６に固着される、図１３に示される実施形態について説明されたものと類似する様式で、基礎部材１４に回転可能に固着されてもよい。回転支持板１６と基礎部材１４との間のインターフェースは、複数の光学レセプタクル２５２の角度円周方向間隔に合致するように構成される角度円周方向戻り止め間隔を組み込む、少なくとも１つのボール戻り止め装置を含んでもよい。該ボール戻り止め装置は、上記で議論されるボール戻り止め装置２６８と同一または類似であり得る。回転支持板１４と基礎部材１４との間のボール戻り止め装置は、低干渉光学マウントアセンブリ１０について以前に議論されているように、複数の光学レセプタクル２５２の円周方向間隔に合致するように構成されるインデキシングを有するインデックス化構成で、回転支持フレーム１６が、回転軸２４の周囲で基礎部材１４に対してツールを使用することなく手動で回転させられることができるように構成される。基礎部材１４は、回転軸２４と垂直である少なくとも１つのねじ孔を含んでもよく、ねじ孔は、光学支柱１４８に便宜的に搭載されるように構成される。
【００６８】
低干渉光学マウントアセンブリ２４６は、図１７に示される実施形態に類似する様式で、外側ガードリング１５６を伴って構成されてもよい。外側ガードリング１５６は、低干渉光学マウントアセンブリ２４６に搭載される光学要素１２を損傷から保護するように構成されてもよい。外側ガードリング１５６は、低干渉光学マウントアセンブリ２４６のそれぞれの光学マウントの中に搭載される全ての光学要素１２の外側半径方向縁を通過するようなサイズにされる横寸法を有する、開口１５８を含んでもよい。外側ガードリング１５６は、それぞれの光学レセプタクル２５２の中に搭載される光学要素１２の間に嵌合するようなサイズにされる１つまたはそれを上回る半径方向拡張部材１６２によって、回転支持板１６に固着されてもよい。
【００６９】
上記の発明を実施するための形態に関して、その中で使用される類似参照数字は、同一または類似寸法、材料、および構成を有し得る、類似要素を指し得る。実施形態の特定の形態が図示および説明されているが、議論される実施形態の精神および範囲から逸脱することなく、種々の修正が行われ得ることが明白となるであろう。したがって、本発明が先述の発明を実施するための形態によって限定されることは意図されない。
【００７０】
本明細書で参照される各特許、特許出願、出版物、および文書の全体は、参照することによって本明細書に組み込まれる。上記の特許、特許出願、出版物、および文書の引用は、先述のうちのいずれかが関連従来技術であるという許可でもなく、これらの文書の内容または日付に関していかなる許可も構成することもない。
【００７１】
修正が、本技術の基本的側面から逸脱することなく、先述の実施形態に行われてもよい。本技術は、１つまたはそれを上回る具体的実施形態を参照して実質的に詳細に説明され得るが、変更が本願で具体的に開示される実施形態に行われてもよく、それにもかかわらず、これらの修正および改良は、本技術の範囲および精神内である。本明細書に例証的に説明される技術は、本明細書に具体的に開示されていない任意の要素がない場合に実践されてもよい。したがって、例えば、本明細書の各事例において、「を備える」、「本質的に〜から成る」、および「から成る」という用語のうちのいずれかは、他方の２つの用語のいずれか一方と置換されてもよい。採用されている用語および表現は、限定ではなく説明の用語として使用され、そのような用語および表現の使用は、図示および説明される特徴またはそれらの部分のいかなる均等物も除外せず、種々の修正が、請求される技術の範囲内で可能である。「ａ」または「ａｎ」という用語は、要素のうちのいずれか１つまたは要素のうちの１つより多くが説明されることが文脈上明確ではない限り、それが修飾する要素のうちの１つまたは複数を指し得る（例えば、「試薬（ａ  ｒｅａｇｅｎｔ）」は、１つまたはそれを上回る試薬を意味することができる）。本技術は、代表的な実施形態および随意の特徴によって具体的に開示されているが、本明細書に開示される概念の修正および変更が行われてもよく、そのような修正および変更は、本技術の範囲内と見なされ得る。
【００７２】
本技術のある実施形態が、以下に続く請求項に記載される。
【図１】
2017520019.tif 000003
【図２】
2017520019.tif 000004
【図３】
2017520019.tif 000005
【図４】
2017520019.tif 000006
【図５】
2017520019.tif 000007
【図６】
2017520019.tif 000008
【図７】
2017520019.tif 000009
【図８】
2017520019.tif 000010
【図９】
2017520019.tif 000011
【図１０】
2017520019.tif 000012
【図１１】
2017520019.tif 000013
【図１２】
2017520019.tif 000014
【図１３】
2017520019.tif 000015
【図１４】
2017520019.tif 000016
【図１５】
2017520019.tif 000017
【図１６】
2017520019.tif 000018
【図１７】
2017520019.tif 000019
【図１８】
2017520019.tif 000020
【図１９】
2017520019.tif 000021
【図２０】
2017520019.tif 000022
【図２１】
2017520019.tif 000023
【図２２】
2017520019.tif 000024
【図２３】
2017520019.tif 000025
【図２４】
2017520019.tif 000026
【図２５】
2017520019.tif 000027
【図２６】
2017520019.tif 000028
【図２７】
2017520019.tif 000029
【図２８】
2017520019.tif 000030
【図２９】
2017520019.tif 000031
【図３０】
2017520019.tif 000032
【図３１】
2017520019.tif 000033
【図３２】
2017520019.tif 000034
【図３３】
2017520019.tif 000035
【図３４】
2017520019.tif 000036
【図３５】
2017520019.tif 000037
【図３６】
2017520019.tif 000038
【図３７】
2017520019.tif 000039
【図３８】
2017520019.tif 000040
【図３９】
2017520019.tif 000041
【図４０】
2017520019.tif 000042
【国際調査報告】
2017520019.tif 000043
2017520019.tif 000044